(57)【要約】  基地局（５０−１）の取得部（５３）は、基地局（５０−１）と端末（１０）間の通信において第１の周波数帯域を用いて送信された情報の第１の受信時間と、基地局（５０−１）または他の基地局（５０−Ｘ）と端末（１０）間で第２の周波数帯域を用いて送信された情報の第２の受信時間を基に取得する。回線制御部（５５）は、該第１の周波数帯域と同時に使用する第２の周波数帯域を該第１及び第２の受信時間を基に制御し、端末（１０）に対して該制御に基づいて制御信号を作成する。
2014155740.tif 000002
【特許請求の範囲】
【請求項１】
第１の基地局と、１つ以上の第２の基地局と、端末とを含む通信システムであって、
前記第１の基地局は、
前記第１の基地局及び前記１つ以上の第２の基地局が１つ以上の周波数帯域を用いて送信した情報を前記端末が受信した受信時間、及び、前記端末における各周波数帯域の送信時間の少なくとも一方に関する情報を取得する取得部と、
前記取得部で取得された前記受信時間又は前記送信時間に関する情報に基づいて、前記端末が同時に使用する周波数帯域を制御する第１の制御部と、
を具備し、
前記端末は、
前記第１の基地局による制御に従って、前記周波数帯域を同時に用いて通信を行うよう制御する第２の制御部を具備する、
ことを特徴とする通信システム。
【請求項２】
前記取得部は、前記受信時間に関する情報として、前記第１の基地局から第１の周波数帯域を用いて送信された情報の第１の受信時間と、前記第１の基地局及び前記１つ以上の第２の基地局から１つ以上の第２の周波数帯域を用いて送信された情報の第２の受信時間とを基に、１つ以上の第１の受信時間差に関する情報を取得し、
前記第１の制御部は、前記１つ以上の第１の受信時間差に関する情報を基に、前記端末が前記第１の周波数帯域と同時に使用する第２の周波数帯域に関する制御情報を作成し、
前記第１の基地局は、前記制御情報を前記端末に通知する送信部を更に具備する、
ことを特徴とする請求項１に記載の通信システム。
【請求項３】
前記第１の制御部は、前記１つ以上の第１の受信時間差に関する情報に基づいて、前記１つ以上の第２の周波数帯域の中から、前記端末が前記第１の周波数帯域と同時に使用する第２の周波数帯域を選択する選択部を含み、前記選択した第２の周波数帯域に関する制御情報を作成する、
ことを特徴とする請求項２に記載の通信システム。
【請求項４】
前記選択部は、前記１つ以上の第２の周波数帯域の中から、前記第１の受信時間差と、前記第１の基地局で又は前記第１の基地局と前記端末間で予め決められた第１の閾値とを用いて、前記端末が前記第１の周波数帯域と同時に使用する第２の周波数帯域を選択する、
ことを特徴とする請求項３に記載の通信システム。
【請求項５】
前記選択部は、下り送信期間と上り受信期間の間の保護期間に応じて、前記第１の閾値を制御する、
ことを特徴とする請求項４に記載の通信システム。
【請求項６】
前記選択部は、前記１つ以上の第２の周波数帯域から前記端末が前記第１の周波数帯域と同時に使用する第２の周波数帯域を選択できない場合、前記第１の周波数帯域と予め決められた周波数以上離れた１つ以上の第３の周波数帯域の中から、前記端末が前記第１の周波数帯域と同時に使用する第３の周波数帯域を選択する、
ことを特徴とする請求項４に記載の通信システム。
【請求項７】
前記取得部は、前記第１の周波数帯域と各第３の周波数帯域における１つ以上の第２の受信時間差を示す情報を更に取得し、
前記選択部は、前記１つ以上の第３の周波数帯域の中から、前記第２の受信時間差と、前記第１の基地局で又は前記第１の基地局と前記端末間で予め決められた第２の閾値とを用いて、前記端末が前記第１の周波数帯域と同時に使用する第３の周波数帯域を選択する、
ことを特徴とする請求項６に記載の通信システム。
【請求項８】
複数の周波数帯域を同時に用いて１つ以上の基地局と通信可能な端末と通信を行う基地局において、
自局及び自局以外の１つ以上の基地局が１つ以上の周波数帯域を用いて送信した情報を前記端末が受信した受信時間、及び、前記端末における各周波数帯域の送信時間の少なくとも一方に関する情報を取得する取得部と、
前記取得部で取得された前記受信時間または前記送信時間に関する情報に基づいて、前記端末が同時に使用する周波数帯域を制御する制御部と、
を具備することを特徴とする基地局。
【請求項９】
複数の周波数帯域を同時に用いて、１つ以上の基地局と通信を行う端末において、
第１の周波数帯域を用いて第１の基地局から送信された情報の受信時間と、
第２の周波数帯域を用いて前記第１の基地局及び第２の基地局のそれぞれから送信された情報の受信時間と、を測定する受信時間測定部と、
前記受信時間測定部における受信時間測定結果を基に、受信時間情報、及び、前記第１の周波数帯域と同時に使用する前記第２の周波数帯域の候補に関する情報の少なくとも一方を、前記第１の基地局に通知する送信部と、
前記受信時間情報又は前記第２の周波数帯域の候補に関する情報を基に選択された前記第１の周波数帯域と同時に用いる第２の周波数帯域に関する制御情報を受信する受信部と、
前記制御情報に基づいて前記第１の周波数帯域と前記第２の周波数帯域を同時に用いて通信を行うよう制御する制御部と、
を具備することを特徴とする端末。
【請求項１０】
複数の周波数帯域を同時に用いて、１つ以上の基地局と通信を行う端末において、
第１の周波数帯域を用いて第１の基地局から送信された第１の送信時間情報と、
第２の周波数帯域を用いて前記第１の基地局及び第２の基地局のそれぞれから送信された第２の送信時間情報とを受信する受信部と、
前記第２の送信時間情報、及び、前記第１の送信時間情報と前記第２の送信時間情報を基に選択した、前記第１の周波数帯域と同時に使用する前記第２の周波数帯域の候補に関する情報の少なくとも一方を、前記第１の基地局へ通知する送信部と、
を具備することを特徴とする端末。
【発明の詳細な説明】
【技術分野】
【０００１】
本発明は、基地局、端末、及び通信システムに関する。
【背景技術】
【０００２】
広帯域化を図るため、複数の周波数帯域を利用する通信が検討されている。この技術により、周波数利用効率の向上及び伝送レートの向上を図ることができる。例えば、通信規格である３ＧＰＰ  ＬＴＥ（3rd  Generation  Partnership  Project  Radio  Access  Network  Long  Term  Evolution）−Ａｄｖａｎｃｅｄでは、キャリアアグリゲーション（Carrier  Aggregation：ＣＡ）という技術が検討されている。キャリアアグリゲーションは、複数のコンポーネントキャリア（Component  Carrier）を利用する通信技術である。言い換えれば、キャリアアグリゲーションとは、異なる周波数帯域を同時に使用して通信を行うことができる技術である。ここで、コンポーネントキャリアは、通信に利用可能な周波数帯域の一単位を意味する。上述の複数の周波数帯域を利用した無線通信に関する技術を提案する文献として、特許文献１乃至３がある。
【先行技術文献】
【特許文献】
【０００３】
【特許文献１】特開２０１１−０１９０７４号公報
【特許文献２】特開２０１１−２０５２４２号公報
【特許文献３】特開２０１１−１７６６８７号公報
【非特許文献】
【０００４】
【非特許文献１】3GPP  TS36.211V10.5.0  “Physical  channel  and  modulation  (Release  10)”
【非特許文献２】3GPP  TS36.213V10.6.0  “Physical  layer  procedures  (Release  10)”
【非特許文献３】3GPP  TS36.214V10.2.0  “Physical  layer  Measurements  (Release  10)”
【非特許文献４】3GPP  TS36.321V10.5.0  “Medium  Access  Control(MAC)  (Release  10)”
【非特許文献５】3GPP  TS36.331V10.6.0  “Radio  Resource  Control  (RRC)  (Release  10)”
【非特許文献６】3GPP  TS36.300V10.8.0  “Overall  description;  Stage  2  (Release  10)”
【発明の概要】
【発明が解決しようとする課題】
【０００５】
無線通信装置から発信される電波には、設計上意図されない周波数成分（スプリアス（Spurious）成分）が含まれることがある。そのため、複数の周波数帯域を利用する無線通信装置において、ある周波数帯域で送信が行われるとともに、他の周波数帯域で受信が行われる場合、その無線通信装置における送信タイミングと受信タイミングとの関係に依っては、ある周波数帯域における送信波のスプリアス成分が他の周波数帯域の受信品質を劣化させてしまう可能性がある。例えば、ある周波数帯域における送信波のスプリアス成分が受信に用いられている他の周波数帯域（受信帯域）に回り込んだ場合、受信帯域における信号電力対干渉電力比（ＳＩＲ:Signal  to  Interference  Ratio）や信号電力対ノイズ電力比（ＳＮＲ:Signal  to  Noise  Ratio）などが劣化してしまい、誤り率（ＢＥＲ:Bit  Error  Rate）やスループットなどの劣化を招くことがある。なお、上記の受信品質の劣化は、端末であっても基地局であっても生じる可能性がある。【０００６】
開示の技術は、上記に鑑みてなされたものであって、端末または基地局が複数の周波数帯域を同時に用いて通信を行う場合でも、受信品質の劣化を防止することができる、基地局、端末、及び通信システムを提供することを目的とする。
【課題を解決するための手段】
【０００７】
開示の態様では、複数の周波数帯域を同時に用いて通信可能な端末と基地局が通信を行う場合、前記端末における各周波数帯域の受信時間または送信時間に関する情報に基づいて、前記端末について同時に使用する周波数帯域を選択制御する。なお、本解決手段は、特に断りのない限り、端末装置、基地局装置、上位装置などの各種装置において適用可能である。
【発明の効果】
【０００８】
開示の態様によれば、受信品質の劣化を防止することができる。
【図面の簡単な説明】
【０００９】
【図１】図１は、実施例１の通信システムの一例を示す図である。
【図２】図２は、キャリアアグリゲーションによるコンポーネントキャリアの統合の態様の一例を示す図である。
【図３】図３は、キャリアアグリゲーションによるコンポーネントキャリアの統合の態様の一例を示す図である。
【図４】図４は、キャリアアグリゲーションによるコンポーネントキャリアの統合の態様の一例を示す図である。
【図５】図５は、ランダムアクセス手順の一例を示す図である。
【図６】図６は、複数のＴＤＤ（Time  Division  Duplex、時分割複信）フレームパターンの一例を示す図である。
【図７】図７は、ＴＤＤフレームパターンの構成の一例を示す図である。
【図８】図８は、複数のＳＦ（Special  Frame）パターンの一例を示す図である。
【図９】図９は、複数のＳＦパターン候補をシンボル単位で表す図である。
【図１０】図１０は、２つのセル間で下り受信タイミングと下り送信タイミングとが重なる状況の説明に供する図である。
【図１１】図１１は、２つのセル間で下り受信タイミングと下り送信タイミングとが重なる状況の説明に供する図である。
【図１２】図１２は、実施例１の基地局の一例を示す機能ブロック図である。
【図１３】図１３は、実施例１の回線制御部の一例を示す機能ブロック図である。
【図１４】図１４は、実施例１の端末の一例を示す機能ブロック図である。
【図１５】図１５は、実施例１の基地局の処理動作の一例を示すフローチャートである。
【図１６】図１６は、実施例１の追加セル選択処理の一例の説明に供するフローチャートである。
【図１７】図１７は、実施例１の端末の処理動作の一例を示すフローチャートである。
【図１８】図１８は、実施例１の端末及び基地局の処理動作の一例を示すシーケンス図である。
【図１９】図１９は、ランダムアクセス手順の一例を示す図である。
【図２０】図２０は、送信波のスプリアスの説明に供する図である。
【図２１】図２１は、送信波のスプリアスに起因する受信品質の劣化の説明に供する図である。
【図２２】図２２は、実施例２の端末の一例を示す機能ブロック図である。
【図２３】図２３は、実施例２の基地局の一例を示す機能ブロック図である。
【図２４】図２４は、実施例２の回線制御部の一例を示す機能ブロック図である。
【図２５】図２５は、実施例２の基地局の処理動作の一例を示すフローチャートである。
【図２６】図２６は、実施例２の端末の処理動作の一例を示すフローチャートである。
【図２７】図２７は、実施例２の端末及び基地局の処理動作の一例を示すシーケンス図である。
【図２８】図２８は、実施例３の端末の一例を示す機能ブロック図である。
【図２９】図２９は、実施例３の基地局の一例を示す機能ブロック図である。
【図３０】図３０は、実施例３の回線制御部の一例を示す機能ブロック図である。
【図３１】図３１は、実施例３の基地局の処理動作の一例を示すフローチャートである。
【図３２】図３２は、実施例３の端末の処理動作の一例を示すフローチャートである。
【図３３】図３３は、実施例３の端末及び基地局の処理動作の一例を示すシーケンス図である。
【図３４】図３４は、実施例３の端末及び基地局の処理動作の他の一例を示すシーケンス図である。
【図３５】図３５は、端末のハードウェア構成例を示す図である。
【図３６】図３６は、基地局のハードウェア構成例を示す図である。
【発明を実施するための形態】
【００１０】
以下に、本願の開示する基地局、端末、及び通信システムの実施形態を図面に基づいて詳細に説明する。なお、この実施形態により本願の開示する基地局、端末、及び通信システムが限定されるものではない。また、実施形態において同一の機能を有する構成例には同一の符号を付し、重複する説明を省略する。また、実施形態において同等の処理ステップには同一の符号を付し、重複する説明を省略する。
【００１１】
なお、基地局と端末は離れているため送信側から受信側へ電波が届くまでに時間を要する。たとえば、基地局における送信タイミング(または送信時間)と、端末における受信タイミング(または受信時間)では、時間差が生じる。本開示では、説明の便宜上、この時間差を伝搬遅延と呼ぶこととする。
【００１２】
なお、説明を簡単にするために、以降では端末から基地局への伝送を上り（または上り伝送）、基地局から端末への伝送を下り（または下り伝送）として説明する。また、上り（Up  link）をフォワードリンク（Forward  link）、下り（Down  link）をリバースリンク（Reverse  link）と呼ぶこともある。更に、無線回線（Radio  channel）を回線（Channel）として説明する。
【００１３】
［実施例１］
［通信システムの概要］
図１は、実施例１の通信システムの一例を示す図である。なお、以下では、説明を簡単にするために、断りのない限り通信システムの技術、各装置及び制御情報等の情報などの名称や、システム構成をＬＴＥ及びＬＴＥ−Ａｄｖａｎｃｅｄシステムに従って説明するが、これらの名称等によって、その意味が限定されるものではない。すなわち、それらの本質が異ならなければ、名称や構成が異なっていたとしても、同等のものと見なせるものである。更に、本発明はＬＴＥ及びＬＴＥ−Ａｄｖａｎｃｅｄシステム以外の通信システムでも適用可能なものである。
【００１４】
図１において、通信システム１は、端末１０と、基地局５０−１，２とを有する。図１では、便宜上、１つの端末１０のみが示され、基地局５０−１，２のみが示されている。すなわち、端末１０の数と基地局５０の数はこれに限定されるものではない。以下では、後述の第１のセルに対応する基地局５０、つまり接続中の基地局５０を基地局５０−１と呼び、基地局５０−１と異なる基地局５０を基地局５０−Ｘと呼ぶことがある。基地局５０−Ｘは、１つ存在する場合もあれば、複数存在する場合もある。また、基地局５０−１と基地局５０−Ｘとを特に区別しない場合には、両者をまとめて基地局５０と呼ぶことがある。なお、複数の基地局５０は、上位局と有線で接続され、上位局を介して互いに接続されていてもよい。又は、複数の基地局５０は、有線で論理的に又は物理的に直接接続されていてもよい。また、基地局５０は、例えば、ＬＴＥシステムにおける、張出基地局（ＲＲＨ：Radio  Remote  Header）を用いた基地局、フェムト基地局、又は、小型基地局であってもよい。
【００１５】
通信システム１において、端末１０は、上り送信タイミング（送信時間）と下り受信タイミング（受信時間）とが重ならないセルの組合せで通信する。すなわち、端末１０は、「キャリアアグリゲーション」を用いて通信する。キャリアアグリゲーションは、例えば、端末１０の所要伝送速度を満たすために行われる。ここで、「セル（Cell）」とは、１つの「チャネル帯域（Channel  Band）」を用いて通信を行うエリア（以下では、「通信エリア」と呼ぶ。）である。「チャネル帯域」は、チャネル帯域幅（Channel  Bandwidth）と中心周波数に基づいて規定され、ＬＴＥ−Ａｄｖａｎｃｅｄでは、コンポーネントキャリアと呼ばれることがある。また、「通信エリア」は、基地局から送信された電波が到達できるエリアのすべてであってもよいし、当該エリアが複数に分割された分割エリア、所謂セクタであってもよい。また、「チャネル帯域（Channel  Band）」は、「システム帯域（System  Band）」と呼ばれることもある。以下では、コンポーネントキャリア(Component  Carrier)は、「ＣＣ」と表記されることがある。また、キャリアアグリゲーション(Carrier  Aggregation)は、「ＣＡ」と表記されることがある。
【００１６】
また、基地局は、一つの周波数帯と一つの通信エリアで構成されると定義される場合もある。すなわち、セルと基地局とチャネル帯域が同義となる場合もある。一方で、基地局が複数の周波数帯を持つ場合や複数の通信エリアを持つ場合、及び複数の周波数帯とそれぞれの周波数帯に対して通信エリアを持つ場合がある。すなわち、セルとチャネル帯域が同義となる場合もある。以下、基地局が複数の周波数帯を持つ場合を用いて説明するが、断りのない限り、基地局が一つの周波数帯と一つの通信エリアで構成される場合や複数の通信エリアを持つ場合に対しても本発明の実施例を適用可能である。
【００１７】
例えば、端末１０は、最初に、第１のセルを用いて通信を開始し、その後、通信中である第１のセルに加えて第２のセルを追加することにより、複数のセルを用いた通信を行う。
【００１８】
例えば、第１のセルに対応する基地局５０−１は、端末１０における、第１のセルでの第１の伝搬遅延、及び、基地局５０−１又は基地局５０−Ｘにそれぞれ対応する、複数の第２のセルの各々での第２の伝搬遅延を端末１０から取得するか、または、第１の伝搬遅延と第２の伝搬遅延との間の伝搬遅延差を端末１０から取得する。以下では、一例として、基地局５０−１が第１の伝搬遅延と第２の伝搬遅延との間の伝搬遅延差を端末１０から取得することを前提に説明する。
【００１９】
第１のセルに対応する基地局５０−１は、複数の第２のセルに含まれ且つ通信にて第１のセルと共に使用される「追加セル」を端末１０へ通知する制御信号を、第１の伝搬遅延と第２の伝搬遅延との間の伝搬遅延差に基づいて作成する。基地局５０−１は、この制御信号を、第１のセルを用いて端末１０へ送信する。なお、複数の第２のセルから、基地局５０−１に対応するセルを除外してもよいし、複数の第２のセルに基地局５０−１に対応するセルを含めてもよい。以下では、一例として、基地局５０−１に対応するセルが複数の第２のセルから除外される場合について説明する。
【００２０】
端末１０は、第１のセルに対応する基地局５０−１から送信された制御信号を受信する。端末１０は、第１のセルと、制御信号によって通知された追加セルとを用いて通信を行う。
【００２１】
以上により、端末１０が、基地局５０−１において第１の伝搬遅延と第２の伝搬遅延との間の伝搬遅延差を基に作成された制御信号に従うことにより、上り送信タイミングと下り受信タイミングとが重ならない複数のセルを用いて通信できる。これにより、送信波のスプリアスに起因する受信品質の劣化を防止することができる。
【００２２】
次いで、通信システム１において用いられる技術について説明する。
【００２３】
＜キャリアアグリゲーション＞
通信システム１では、上り回線及び下り回線のいずれにおいても、各ＣＣの帯域幅を、１．４ＭＨｚ、３ＭＨｚ、５ＭＨｚ、１０ＭＨｚ、１５ＭＨｚ、２０ＭＨｚのいずれかに設定することができる。
【００２４】
キャリアアグリゲーションは、複数のＣＣを統合する技術であり、統合された複数のＣＣが１つの端末１０の通信に用いられる。複数のＣＣを統合する態様としては、次の３つを挙げることができる。図２，３，４のそれぞれは、キャリアアグリゲーションによるコンポーネントキャリアの統合の態様の一例を示す図である。また、図２,図３,図４における３．５ＧＨｚ帯の８０ＭＨｚ及び２ＧＨｚ帯の２０ＭＨｚを「オペレーティング帯域（Operating  Band）」と呼ぶ。このオペレーティング帯域は、システムで使用可能な帯域である。図は一例であって、８００ＭＨｚ帯域や１．５ＧＨｚ帯域等であってもよい。また、帯域幅も４０ＭＨｚや１００ＭＨｚ等であってもよい。なお、ＬＴＥ及びＬＴＥ−Ａｄｖａｎｃｅｄシステムでは、例えばＴＳ３６．１０４にオペレーティング帯域がE-UTRA  frequency  bandとして規定されている。
（態様１）同一のオペレーティング帯域において周波数方向に連続した複数のＣＣを統合する。例えば、図２に示すように、３．５ＧＨｚ帯において周波数方向に連続したＣＣ２，３を統合する。
（態様２）同一オペレーティング帯域において周波数方向に不連続である複数のＣＣを統合する。例えば、図３に示すように、３．５ＧＨｚ帯において周波数方向に不連続のＣＣ２，４を統合する。
（態様３）異なるオペレーティング帯域に属する複数のＣＣを統合する。例えば、図４に示すように、２ＧＨｚ帯のＣＣ１と、３．５ＧＨｚ帯のＣＣ２とを統合する。
【００２５】
また、キャリアアグリゲーションで統合される複数のＣＣは、同じ基地局５０のＣＣであっても、それぞれ異なる基地局５０のＣＣであってもよい。すなわち、キャリアアグリゲーションによれば、ＣＣ（つまり周波数）の異なる複数のセルを、通信に用いることができる。
【００２６】
＜キャリアアグリゲーションの制御＞
次に、キャリアアグリゲーションの制御方法について説明する。
【００２７】
ＣＡを行う場合、まず、主となる第１のＣＣに対応するセル（以下では、プライマリセル（Primary  Cell）、Ｐ−Ｃｅｌｌ、第１のセル、主帯域、第１の帯域、又は第１の基地局と表記されることがある）が設定される。そして、Ｐ−Ｃｅｌｌに対して、第１のＣＣと異なる第２のＣＣに対応するセル（以下では、セカンダリセル（Secondary  Cell）、Ｓ−Ｃｅｌｌ、第２のセル、拡張帯域、第２の帯域、又は第２の基地局と表記されることがある。）が統合される。ここで、Ｓ−Ｃｅｌｌの候補ＣＣは、最大７つまで設定することができる。このＳ−Ｃｅｌｌの候補ＣＣ群の中から、少なくとも１つのＳ−Ｃｅｌｌが設定され、Ｐ−ＣｅｌｌとＳ−ＣｅｌｌとのＣＡが実行される。例えば、システム帯域が１００ＭＨｚであり且つＣＣの帯域幅が２０ＭＨｚである場合、１つのＰ−Ｃｅｌｌと４つのＳ−Ｃｅｌｌとを合わせた最大５つのＣＣを用いて、ＣＡを実行することができる。なお、プライマリセルは、ＣＡにおけるよりどころとなることからアンカーコンポーネント（Anchor  Component）と呼ばれることもある。
【００２８】
ここで、上記の通り、端末１０は、無線回線設定時には、１つのセルにだけ接続することができる。このため、無線回線設定時に接続するセルが、Ｐ−Ｃｅｌｌとなる。なお、その後、ハンドオーバ等の際に、Ｐ−Ｃｅｌｌは変更される。また、Ｓ−Ｃｅｌｌを追加したり、削除したり、変更することもできる。
【００２９】
次にＳ−Ｃｅｌｌの設定について説明する。
【００３０】
まず、基地局５０−１は、端末１０との無線回線を設定する際に、端末１０に対して接続可能な基地局５０のリスト（情報）を制御情報として通知する。たとえば、ＬＴＥ−Ａｄｖａｎｃｅｄシステムでは、レイヤ３（Ｌ３）の制御信号であるサービングセルインデックス情報要素（Serving  Cell  Index  Information  Element: ServCellIndex  IE）を端末１０に送信し、最大８つのセルの候補を設定する。このとき、ServCellIndex＝０は、Ｐ−Ｃｅｌｌの候補を示し、ServCellIndex＝１−７は、それぞれＳ−Ｃｅｌｌの候補を示す。すなわち、基地局５０−１は、接続可能な基地局５０のリストを第１のセルと第２のセルとして端末１０に通知する。なお、ユーザデータ（所謂一般的なデータ）を供給するセルであることからサービングセルと呼ばれている。
【００３１】
また、ServCellIndex  IEは、CrossCarrierSchedulingConfig  IEに含まれる。CrossCarrierSchedulingConfig  IEは、PhysicalConfigDedicated  IEに含まれ、更に、PhysicalConfigDedicated  IEは、RadioResourceConfigDedicated  IEに含まれる。RadioResourceConfigDedicated  IEは、RRCConnectionReconfiguration  messageに含まれる。すなわち、上記接続可能な基地局５０の情報をその他の制御情報に含めて端末１０に通知しても良いと言うことである。
【００３２】
そして、設定されたＳ−Ｃｅｌｌの候補の中から、実際にＣＡに利用されるＳ−Ｃｅｌｌが選択される。このＳ−Ｃｅｌｌは、ServCellIndex  IEとして端末１０に通知される。このServCellIndex  IEは、RRCConnectionReconfiguration  messageに含められて、基地局５０から端末１０に通知される。
【００３３】
なお、上記の通り、ＣＡでは、対応する基地局５０が異なる複数のセルを用いることも可能なので、ServCellIndex  IEで設定される複数のセルの中には、対応する基地局５０が異なるセルを混在させてもよい。
【００３４】
＜上り送信タイミングの制御＞
通信システム１において端末１０と基地局５０との間の通信では、例えば、上り回線では、ＳＣ−ＦＤＭＡ（Single  Carrier  Frequency  Division  Multiple  Access）及びＤＦＴ−Ｓ−ＯＦＤＭ（Discrete  Fourier  Transform-  Spread  -  Orthogonal  Frequency  Division  Multiple）またはＤＦＴ−Ｓ−ＯＦＤＭＡ（Discrete  Fourier  Transform-  Spread  -  Orthogonal  Frequency  Division  Multiple）が用いられる。すなわち、端末１０と基地局５０間で、互いに直交した複数のサブキャリアを用いた通信が行われる。また、複数のサブキャリアは、同じタイミングで複数の端末１０の通信に利用されてもよい。この場合、基地局５０は、同時又は所定の期間内に受信した複数のサブキャリアに対して、フーリエ変換処理を施すことにより、受信処理を行う。ただし、複数の端末１０のそれぞれと基地局５０との間の伝搬距離が異なるため、各端末１０から送信された信号が基地局５０で同時又は所定の期間内に受信されるためには、各端末１０の送信タイミングを制御することが好ましい。
【００３５】
そこで、基地局５０と各端末１０間で伝送される信号の受信タイミングに基づいて、基地局５０が各端末１０の送信タイミングの制御信号、つまり、ＴＡコマンド（Timing  Advanced  command）を作成する。ＴＡコマンドとは、基地局５０配下の各端末１０から送信される送信波を基地局５０において受信する際に、各送信波の受信タイミングが一致するように、基地局５０が端末１０の送信タイミングを制御するためのコマンドである。そして、基地局５０が各端末１０について作成したＴＡコマンドを各端末１０へ送信し、端末１０が受信したＴＡコマンドに基づいて、送信タイミングを制御する。すなわち、ＴＡコマンドは、端末１０における送信時間に関する情報の一例である。
【００３６】
ここで、ＴＡコマンドは，例えば、レイヤ２（Ｌ２）の制御信号として、基地局５０から端末１０へ送信される。
【００３７】
また、ＴＡコマンドは、第１の送信時期として、基地局５０と端末１０との間の無線回線設定時に実行されるランダムアクセス手順（Random  Access  procedure）の中で、基地局５０から端末１０へ送信される。第２の送信時期として、ＴＡコマンドは、ランダムアクセス手順が完了して無線回線設定が完了した後でも、データ伝送と一緒に、基地局５０から端末１０へ送信される。すなわち、第２の送信時期で送信されるＴＡコマンドは、接続中のセルにおける送信タイミングの調整に用いられる。
【００３８】
ＴＡコマンドの第１の送信時期は、例えば、ランダムアクセス手順において、基地局５０から端末１０へのランダムアクセスレスポンス（Random  Access  Response（Msg.  （Message）  2））に含められて送信される。この第１の送信時期におけるＴＡコマンドの値は、ランダムアクセス手順においてランダムアクセスプリアンブル（ＲＡＰ：Random  Access  Preamble）を受信した基地局５０によって、その基地局５０におけるＲＡＰの受信タイミングに基づいて算出される。このランダムアクセスレスポンスは、端末１０から基地局５０へ送信されたランダムアクセスプリアンブル（Random  Access  Preamble（Msg.  （Message）  1））に対する応答である。図５は、ランダムアクセス手順の一例を示す図である。なお、ランダムアクセスは、信号が正しい送信タイミングで送信されない場合でも、その信号を送信した装置以外の他の端末１０及び基地局５０に対して干渉とならないように設計されている。このため、ランダムアクセスを用いることにより、端末１０における送信タイミングの調整を行うことができる。
【００３９】
そして、第１の送信時期に送信されるＴＡコマンドは、１１ビットの制御信号である。つまり、ＴＡコマンドの値（以下では、「ＴＡ値」と呼ばれることがある）は、０から１２８２の値を取り得る。また、１ＴＡ値は、１６Ｔｓである。Ｔｓは、シンボル周期である。従って、ＴＡ値をシンボルに換算した値ＮＴＡは、ＮＴＡ＝１６×ＴＡとして表される。ＴＡは、ＴＡ値を表す。Ｔｓ＝１／３０７２０［ｍｓ］であることから、ＴＡ値の最大値は、６６６．７［μｓ］に対応する。また、Ｎｏｒｍａｌ  ＣＰ（Cyclic  Prefix）の場合、７シンボルは、０．５ｍｓである。そして、Ｎｏｒｍａｌ  ＣＰの長さは、１８０Ｔｓ又は１４４Ｔｓであり、ＣＰを除いたシンボル長は、２０４８Ｔｓである。そして、２シンボル目以降のＣＰは、１４４Ｔｓである。ＴＡ値の最大値は、次のように求められる。
１６×１２８２／（２０４８＋１４４）＝９．３６［シンボル］
すなわち、ＴＡ値の最大値は、約９シンボルに相当する。
【００４０】
一方、第２の送信時期に送信されるＴＡコマンドは、６ビットの制御信号である。つまり、ＴＡ値は、０から６３の値を取り得る。このＴＡコマンドは、データ伝送と一緒に、例えば、ＭＡＣ  Ｃｏｎｔｒｏｌ  Ｅｌｅｍｅｎｔに含められて送信される。ただし、第２の送信時期に送信されるＴＡコマンドは、前回送信されたＴＡコマンドを基準としての調整値を示す。すなわち、第２の送信時期のＴＡ値をシンボルに換算した値ＮＴＡは、次の式を満たす。なお、ＭＡＣはMedium(or  Media)  Access  Controlであり、変復調や符号化・復号といったベースバンド処理を行う物理層の上位層である。
ＮＴＡ，ｎｅｗ＝ＮＴＡ，ｏｌｄ＋（ＴＡ−３１）×１６
すなわち、ＴＡ値は、前回を基準として、−４９６Ｔｓから＋４９６Ｔｓの範囲で変化する。つまり、ＴＡ値は、前回を基準として、−１６［μｓ］から＋１６［μｓ］の範囲で変化する。
【００４１】
＜フレームの構成例＞
通信システム１には、時分割多重方式（ＴＤＤ:  Time  Division  Duplex）を適用することができる。この場合、各セルでは、複数のＴＤＤフレームパターンを候補とし１つの「ＴＤＤフレームパターン」を選択し適用する。図６は、複数のＴＤＤフレームパターンの一例を示す図である。図６では、識別番号０−６の７つのＴＤＤフレームパターンが示されている。各ＴＤＤフレームパターンは、１フレーム、つまり１０サブフレームを有する。また、各ＴＤＤフレームパターンにおいて、「Ｄ」に対応するサブフレームは、下り回線期間であり、「Ｕ」に対応するサブフレームは、上り回線期間である。また、「Ｓ」に対応するサブフレームは、スペシャルサブフレームである。スペシャルサブフレームとは、下りサブフレームから上りサブフレームへ切り替わるときに、下りサブフレームと上りサブフレームとの間に配置されるサブフレームである。
【００４２】
例えば、図６の識別番号２のＴＤＤフレームパターンは、図７のようになる。図７は、ＴＤＤフレームパターンの構成例を示す図である。図７に示すように、スペシャルサブフレームは、「ダウンリンク区間（DwPTS: Downlink  Pilot  Time  Slot）」と、「ギャップ区間（GP: Guard  Period）」と、「アップリンク区間（UpPTS: Uplink  Pilot  Time  Slot）」とをその順番で含む。ギャップ区間は、伝送が為されない無伝送区間である。また、スペシャルサブフレーム内の構成にも、複数のパターン（以下では、「ＳＦパターン」と呼ばれることがある）が存在する。図８は、複数のＳＦパターンの一例を示す図である。また、図９は、複数のＳＦパターンをシンボル単位で表す図である。すなわち、図９の各ＳＦパターンにおける各マスは、１シンボルに対応する。つまり、図９において「Ｄｗ」に対応するシンボルは、ダウンリンク区間を構成し、「Ｕｐ」に対応するシンボルは、アップリンク区間を構成する。また、「ｇａｐ」に対応するシンボルは、ダウンリンク（下りまたは下り伝送、フォワードリンク）とアップリンク（上りまたは上り伝送、リバースリンク）の保護（緩衝）区間であり無伝送区間を構成する。
【００４３】
ここで、ＣＡに用いられる各セルに対して同じＴＤＤフレームパターンが適用されれば、セル間で上り回線期間と下り回線期間とが重なることがないようにも思われる。しかしながら、端末１０と基地局５０との間の伝搬遅延がセル間で異なる場合には、一方のセルの下り受信タイミングが他方のセルの下り送信タイミングと重なってしまう可能性がある。これにより、送信波のスプリアス成分に起因して受信品質が低下してしまう可能性がある。言い換えれば、送信波のスプリアス成分が受信波に対して干渉となり、ＳＩＲが劣化し、受信品質が低下する可能性がある。
【００４４】
図１０，１１は、２つのセル間で下り受信タイミングと下り送信タイミングとが重なる状況の説明に供する図である。図１０，１１では、２つのセルに対応する一方の基地局５０−１はｅＮＢ１と表され、他方の基地局５０−ＸはｅＮＢ２と表されている。また、端末１０は、ＵＥ１と表されている。なお、ｅＮＢは、evolutional  Node  Bであり、基地局を意味するものである。また、ＵＥは、User  Equipmentであり、端末を意味するものである。また、図１０に記載されているＰＤＣＣＨは、基地局５０から端末１０へ制御情報を通知するために用いられる物理下り制御チャネル（Physical  Downlink  Control  Channel）である。また、ＰＤＳＣＨは、基地局５０から端末１０へデータを送信するために用いられる物理下り共有チャネル（Physical  Downlink  Shared  CHannel）である。また、ＰＵＣＣＨは、端末１０から基地局５０へ制御情報を通知するために用いられる物理上り制御チャネル（Physical  Uplink  Control  Channel）である。また、ＰＵＳＣＨは、端末１０から基地局５０へデータを送信するために用いられる物理上り共有チャネル（Physical  Uplink  Shared  CHannel）である。
【００４５】
ｅＮＢ１とＵＥ１は、離れているためｅＮＢ１からＵＥ１へ電波が届くまでに時間を要する。この時間を伝搬遅延と呼んでいる。更に、ＵＥ１とｅＮＢ１との距離と、ＵＥ１とｅＮＢ２との距離とが異なる場合、ＵＥ１とｅＮＢ１との間の伝搬遅延τ１と、ＵＥ１とｅＮＢ２との間の伝搬遅延τ２とは異なる。ＴＤＤの場合には、上り及び下りの両方とも、ＵＥ１とｅＮＢ１との間の伝搬遅延はτ１であり、ＵＥ１とｅＮＢ２との間の伝搬遅延はτ２であると見なすことができる。
【００４６】
従って、図１１に示すように、ＵＥ１の下り受信期間は、ｅＮＢ１の下り送信期間よりもτ１だけ遅れる。また、ｅＮＢ１の上り受信期間内にＵＥ１から送信された信号を到達させるために、ＵＥ１の上り送信期間は、ｅＮＢ１の上り受信期間よりもτ１だけ早める。同様に、ｅＮＢ２の上り受信期間内にＵＥ１から送信された信号を到達させるために、ＵＥ１の上り送信期間は、ｅＮＢ２の上り受信期間よりもτ２だけ早める。すなわち、ｅＮＢ１は、ＴＡコマンドによって、ＵＥ１に対して、τ１に対応する上り送信タイミングの制御を行う。一方、ｅＮＢ２は、ＴＡコマンドによって、ＵＥ１に対して、τ２に対応する上り送信タイミングの制御を行う。ここで、ｅＮＢ１とｅＮＢ２とが一定レベル以上の精度で同期していると仮定すると、τ１とτ２との差の大きさ、及び、スペシャルサブフレームに含まれるギャップ区間の長さに依っては、図１１に示すように、ＵＥ１がｅＮＢ１から送信された信号を受信する下り受信期間と、ＵＥ１がｅＮＢ２へ信号を送信する上り送信期間とが重なってしまう可能性がある。換言すれば、一方のセルの下り受信タイミングが他方のセルの下り送信タイミングと重なってしまう可能性がある。
【００４７】
例えば、２つのセルに適用するＴＤＤフレームパターンが識別番号１（つまり、configuration  #1）のＴＤＤフレームパターンであるとする。そして、τ１が９７６０Ｔｓであり、ＴＡ値が１２３５であるとする。また、ｅＮＢ２からＵＥ１へ送信されるＴＡ値は最大値の１２８２であるとする。この１２８２は、２０５１２Ｔｓに相当する。また、２つのセルに適用するＳＦパターンが識別番号０のＳＦパターンであるとする。また、ｅＮＢ１とｅＮＢ２とが、たとえばＴｓの１／１０以下の精度で同期しているものとする。つまり、以降の処理に対して問題とならない精度で同期しているものとする。また、ｅＮＢ１とｅＮＢ２とのタイミングを基準として、ＵＥ１の上り送信タイミング及び下り受信タイミングを説明する。これらを前提とすると、サブフレーム＃３の前には、順番に、２１９２ＴｓのＵｐＰＴＳと８７６８ＴｓのＧＡＰとＤｗＰＴＳとが存在する。すなわち、サブフレーム＃３の先頭から合計１０９６０Ｔｓより前になると、ＤｗＰＴＳとなる。そして、ＵＥ１は、サブフレーム＃１の最後から９７６０Ｔｓ後まで下り受信をする。すなわち、ｅＮＢ１のサブフレーム＃２のＤｗＰＴＳまで下り受信をしている。一方で、ＵＥ１は、サブフレーム＃３の先頭よりも２０５１２Ｔｓだけ前に上り送信を開始する。すなわち、ｅＮＢ２のサブフレーム＃２のＤｗＰＴＳから上り送信をしている。この結果、ＵＥ１における、上り送信タイミングと下り受信タイミングとが重複してしまう。この状態でＣＡを行ったとしても、２つのセルのいずれか一方の受信特性が劣化してしまい、伝送速度の改善を望めないこととなる。なお、１つの基地局５０の複数のセルの場合であっても、一方のセルでの上り送信タイミングと他方のセルの下り受信タイミングとが重複してしまうことがある。これは、周波数が異なると反射や回折等の特性が異なるので、周波数が異なる場合（特にオペレーティング帯域が異なる場合）には伝搬経路が同じとならないためである。
【００４８】
これに対して、通信システム１において、端末１０は、上り送信タイミングと下り受信タイミングとが重ならないセルの組合せで通信する。これにより、端末１０が上り送信タイミングと下り受信タイミングとが重ならない複数のセルを用いて通信できるので、送信波のスプリアスに起因する受信品質の劣化を防止することができる。
【００４９】
［基地局の構成例］
図１２は、実施例１の基地局の一例を示す機能ブロック図である。図１２において、基地局５０は、受信無線部５１と、受信処理部５２と、取得部５３と、受信タイミング測定部５４と、回線制御部５５と、送信処理部５６と、送信無線部５７と、既知信号作成部５８と、回線制御信号作成部５９とを有する。ここで、受信無線部５１と、受信処理部５２と、取得部５３と、受信タイミング測定部５４とを受信部とし、回線制御部５５を制御部とし、送信処理部５６と、送信無線部５７と、既知信号作成部５８と、回線制御信号作成部５９とを送信部としてもよい。
【００５０】
なお、キャリアアグリゲーションの態様によっては、図１２では図示していないが、送信部及び受信部の一部または全てを複数備えていても良い。たとえば、少なくとも２つの異なる周波数バンドに属する周波数帯域をアグリゲーションする場合は、使用する周波数バンドに対応する複数の送信部及び受信部を備える構成としてもよい。
【００５１】
また、基地局５０は、図１２に示すように、上記の受信部、制御部、及び送信部を複数セット有し、各セットが各セルに対応していてもよい。
【００５２】
また、以下における基地局５０の構成例の説明では、主に、基地局５０が第１のセルに対応する基地局５０−１である場合について説明する。
【００５３】
受信無線部５１は、アンテナを介して受信した信号に対して所定の無線受信処理、つまり、ダウンコンバート、アナログデジタル変換等を施して、受信処理部５２へ出力する。
【００５４】
受信処理部５２は、受信無線部５１から受け取る受信信号に対して、復調処理及び復号処理を施して、得られる受信データを出力する。
【００５５】
取得部５３は、受信処理部５２から出力された受信データから、無線回線品質（channel  quality）情報、回線設定（channel  setup）情報、及びタイミング差情報をそれぞれ抽出する。取得部５３は、抽出した無線回線品質情報、回線設定情報、及びタイミング差情報を、回線制御部５５へ出力する。なお、無線回線品質とは、既知信号（例えば、パイロットや参照信号（ＲＳ：Reference  Signal））の受信品質であり、例えば、ＳＩＲ（Signal  to  Interference  Ration）、ＳＮＲ（Signal  to  Noise  Ratio）、受信電力(又は受信電界強度)、既知信号受信電力（例えば：パイロット受信電力(PSEP: Pilot  Signal  Received  Power)、参照信号受信電力(RSRP: Reference  Signal  Received  Power)）、既知信号受信品質(例えば、パイロット信号受信品質(PSRQ: Pilot  Signal  Received  Quality)、参照信号受信品質(RSRQ：Reference  Signal  Received  Quality))等の何れかである。また、ＳＩＲを基に算出した無線回線品質指標(CQI: Channel  Quality  Indicator)等であってもよい。また、回線設定情報とは、回線設定に必要となる制御情報であり、例えば使用する周波数の帯域幅、セルＩＤなどの無線回線に関する制御情報や、ランダムアクセスなどの回線接続に関する制御情報などで構成されるものである。また、タイミング差情報は、広い意味で、受信時間に関する情報に相当する。なお、既知信号とは送信装置と受信装置とにおいて予め決め、他の信号と識別可能な信号である。特に受信装置において、受信すべき信号として認識できることから、実際に受信した信号と比較することにより、干渉信号を識別することも可能となる。
【００５６】
例えば、取得部５３は、品質情報抽出部６１と、回線設定抽出部（回線設定情報抽出部）６２と、タイミング差情報抽出部６３とを有する。そして、無線回線品質情報は、品質情報抽出部６１で抽出され、回線設定情報は、回線設定抽出部６２で抽出され、タイミング差情報は、タイミング差情報抽出部６３で抽出される。
【００５７】
受信タイミング測定部５４は、端末１０から送信された既知信号の受信タイミングを測定し、当該受信タイミングに関する情報を回線制御（channel  control）部５５へ出力する。既知信号とは、予め通知されている信号であったり、予め通知された情報を基に算出可能な信号であったり、送信元と受信先のそれぞれで識別できる信号である。この受信タイミングに関する情報は、回線制御部５５において端末１０の送信タイミングを制御するためのＴＡコマンドを作成するために用いられる。
【００５８】
回線制御部５５は、タイミング差情報に基づいて、端末１０と通信中の第１のセルと共に使用する追加セルを端末１０に通知する制御信号を作成する。この制御信号に、回線制御部５５は、追加セルに対応する基地局５０−Ｘから受け取る回線設定情報も含める。ここで、タイミング差情報は、第１のセルで基地局５０−１から端末１０へ送信された既知信号と、第１のセルに対応する周波数（つまりＣＣ）と異なる測定対象周波数、つまり第２のセルについて端末１０が受信できた既知信号との端末１０における受信タイミング差を示す。この受信タイミング差は、第１のセルでの第１の伝搬遅延と、第２のセルでの第２の伝搬遅延との差、つまり伝搬遅延差に対応する。なお、タイミング差情報には、当該タイミング差情報に対応する第２のセルの識別情報及び第２のセルに対応する基地局５０−Ｘの識別情報が付加されている。
【００５９】
例えば、回線制御部５５は、複数の第２のセルについてのタイミング差情報を受け取った場合、タイミング差情報の示すタイミング差が第１の閾値以下であるセルを、追加セル候補として選択する。なお、回線制御部５５は、第１のセル及び第２のセルに共通して設定されているＳＦパターンのギャップ区間の長さに応じた値に、第１の閾値を設定する。また、第１のセルと第２のセルとは、共通のＴＤＤフレームパターンが適用されていることを前提としている。
【００６０】
また、回線制御部５５は、選択した１つ又は複数の追加セル候補の中から、無線回線品質情報に基づいて、追加セルを選択する。例えば、回線制御部５５は、追加セル候補の中で、対応する無線回線品質情報の示す品質が最も良いものを追加セルとして選択する。回線制御部５５は、選択した追加セルに関する情報を制御信号に含めて、端末１０へ送信する。また、回線制御部５５は、選択した追加セルに関する情報を回線設定情報として端末１０に通知してもよい。
【００６１】
なお、ここでは、第１段階として、タイミング差に基づいて追加セル候補を選択し、第２段階として、無線回線品質に基づいて追加セルを選択しているが、これに限定されない。逆に、第１段階として、無線回線品質に基づいて追加セル候補を選択し、第２段階として、タイミング差に基づいて追加セルを選択してもよい。又は、タイミング差に基づいて、直接的に追加セルを選択してもよい。この場合、例えば、タイミング差の最も小さい第２のセルを追加セルとしてもよいし、タイミング差が第１の閾値以下であると最初に判定された第２のセルを追加セルとしてもよい。
【００６２】
図１３は、実施例１の回線制御部の一例を示す機能ブロック図である。図１３において、回線制御部５５は、設定制御部７１と、ＴＡ設定部７２と、ランダムアクセス制御部７３と、プリアンブル記憶部７４と、セル選択部７５とを有する。
【００６３】
設定制御部７１は、主に、ＴＡ設定部７２、ランダムアクセス制御部７３、及びセル選択部７５の制御を行う。
【００６４】
例えば、設定制御部７１は、受信タイミング測定部５４から受け取った受信タイミングをＴＡ設定部７２に出力し、その受信タイミングに対応する端末１０の送信タイミングを調整するための制御情報、つまりＴＡコマンドを作成させる。そして、設定制御部７１は、ＴＡコマンドをＴＡ設定部７２から受け取る。
【００６５】
また、設定制御部７１は、受け取ったタイミング差情報及び無線回線品質情報をセル選択部７５へ出力し、セル選択部７５に対して追加セルを選択させる。そして、設定制御部７１は、追加セルに関する情報をセル選択部７５から受け取る。
【００６６】
また、設定制御部７１は、端末１０との間でこれから使用する基地局５０−１のセルでの回線を設定する時に、ランダムアクセス制御部７３に端末１０とのランダムアクセス手順を制御させる。なお、プリアンブル記憶部７４には、基地局５０−１と端末１０がランダムアクセス手順を実行する際に使用させるプリアンブルの候補が記憶されている。プリアンブルとは、ランダムアクセスを実行する際に用いられる端末１０を識別するための識別情報である。たとえば６４個のプリアンブルを候補として設定し、ランダムアクセスの実行に先立って回線制御情報として端末１０に通知または報知するものである。また、これらのプリアンブルは、端末１０が自由に選択して使用するプリアンブルと、基地局５０−１が選択し一定期間内ではその端末１０でしか使用できないプリアンブルとが設定される。前者のプリアンブルは、端末１０が選択することから複数の端末１０が同時に同じプリアンブルを使用する可能性がある。すなわち、衝突（contention）が生じる可能性がある。後者のプリアンブルを特に個別プリアンブル（dedicated  preamble）と呼んでおり、通知された端末１０のみ使用可能であることから衝突が生じない。なお、基地局５０−Ｘにおけるプリアンブル記憶部７４にも、基地局５０−Ｘと端末１０がランダムアクセス手順を実行する際に使用させるプリアンブルの候補が記憶されている。
【００６７】
そして、設定制御部７１は、ＴＡコマンド、追加セルに関する情報、及び、ランダムアクセス手順で端末１０へ送信する情報を、回線制御信号作成部５９へ出力する。また、追加セルが基地局５０−Ｘに対応する場合、基地局５０−１の設定制御部７１は、追加セルに対応する基地局５０−Ｘに対して回線設定情報を要求し、追加セルについての回線設定情報を取得する。すなわち、基地局５０−１は、追加セルに対応する基地局５０−Ｘに対して回線設定情報を要求し、当該基地局５０−Ｘから回線設定情報を取得する。そして、設定制御部７１は、追加セルに対応する基地局５０−Ｘから取得した回線設定情報を回線制御信号作成部５９へ出力する。
【００６８】
セル選択部７５は、第１段階として、タイミング差に基づいて追加セル候補を選択し、第２段階として、無線回線品質に基づいて追加セルを選択する。上述の通り、第１段階として、無線回線品質に基づいて追加セル候補を選択し、第２段階として、タイミング差に基づいて追加セルを選択してもよい。又は、タイミング差に基づいて、直接的に追加セルを選択してもよい。
【００６９】
図１２へ戻り、既知信号作成部５８は、既知信号、例えば、パイロット（または参照信号ＲＳ、以下パイロットと総称する）を作成し、送信処理部５６へ出力する。このパイロットとしては、セル内で共通のセル共通パイロット（Cell  Specific  Pilot）、端末１０に個別に割り当てられた個別パイロット(Dedicated  Pilot)、位置測定用のパイロット(Positioning  Pilot)、及び、無線回線品質を測定するためのパイロット(Channel  State  Information  Pilot)のいずれであってもよい。また、パイロットは、復調や復調に際して実施される無線回線推定（チャネル推定）に用いたり、無線回線品質の測定に用いたりされるものである。前者の場合、復調用パイロット（Demodulation  Pilot）と呼ばれることもある。
【００７０】
回線制御信号作成部５９は、設定制御部７１から受け取った各情報を含めた制御信号を作成し、作成した制御信号を送信処理部５６へ出力する。
【００７１】
送信処理部５６は、回線制御部５５から受け取る制御信号に対して、符号化処理及び変調処理を施し、下り回線リソースにマッピングして、端末１０宛ての送信信号を作成する。送信処理部５６は、作成した送信信号を、送信無線部５７及びアンテナを介して送信する。
【００７２】
送信無線部５７は、送信処理部５６から受け取る送信信号に所定の無線送信処理、つまり、デジタルアナログ変換、アップコンバート等を施して、アンテナを介して送信する。
【００７３】
［端末の構成例］
図１４は、実施例１の端末の一例を示す機能ブロック図である。図１４において、端末１０は、受信無線部１１と、受信処理部１２と、既知信号抽出部１３と、無線回線品質測定算出部１４と、受信タイミング測定部１５と、タイミング差算出部１６と、無線回線品質情報作成部１７と、タイミング差情報作成部１８とを有する。また、端末１０は、回線設定抽出部１９と、無線回線制御部２０と、回線設定信号作成部２１と、送信処理部２２と、送信無線部２３とを有する。ここで、受信無線部１１と、受信処理部１２と、既知信号抽出部１３と、無線回線品質測定算出部１４と、受信タイミング測定部１５と、タイミング差算出部１６と、回線設定抽出部１９とを受信部としてもよい。また、無線回線制御部２０を制御部とし、無線回線品質情報作成部１７と、タイミング差情報作成部１８と、回線設定信号作成部２１と、送信処理部２２と、送信無線部２３とを送信部としてもよい。
【００７４】
なお、キャリアアグリゲーションの態様によっては、図１４では図示していないが、送信部及び受信部の一部または全てを複数備えていても良い。たとえば、少なくとも２つの異なる周波数バンドに属する周波数帯域をアグリゲーションする場合は、使用する周波数バンドに対応する複数の送信部及び受信部を備える構成としてもよい。
【００７５】
受信無線部１１は、アンテナを介して受信した信号に対して所定の無線受信処理、つまり、ダウンコンバート、アナログデジタル変換等を施して、受信処理部１２へ出力する。なお、受信無線部１１は、対象周波数、つまり対象ＣＣが設定され、対象周波数で信号を受信する。
【００７６】
受信処理部１２は、受信無線部１１から受け取る受信信号に対して、復調処理及び復号処理を施して、得られる受信データを出力する。
【００７７】
既知信号抽出部１３は、受信データから、既知信号（例えばパイロット）を抽出し、抽出した既知信号を、無線回線品質測定算出部１４及び受信タイミング測定部１５へ出力する。
【００７８】
無線回線品質測定算出部１４は、既知信号抽出部１３から受け取る既知信号（例えばパイロット）に基づいて、無線回線品質を算出する。この無線回線品質の算出は、通信中の第１のセルと、第１のセルに対応する周波数（つまりＣＣ）と異なる測定対象周波数、つまり第２のセルのそれぞれについて行われる。無線回線品質測定算出部１４は、算出した無線回線品質を、無線回線品質情報作成部１７へ出力する。なお、無線回線品質としては、ＳＩＲ、ＳＮＲ、受信電力(又は受信電界強度)、既知信号受信電力（例えば：パイロット受信電力(PSEP: Pilot  Signal  Received  Power)、既知信号受信品質(例えば、パイロット信号受信品質(PSRQ: Pilot  Signal  Received  Quality)、及び、無線回線品質指標等のいずれかを用いることができる。
【００７９】
受信タイミング測定部１５は、既知信号抽出部１３から受け取る既知信号（例えばパイロット）に基づいて、受信タイミングを測定する。この受信タイミングの測定は、通信中の第１のセルと、第１のセルに対応する周波数（つまりＣＣ）と異なる測定対象周波数、つまり第２のセルのそれぞれについて行われる。受信タイミング測定部１５は、測定した受信タイミングを、タイミング差算出部１６へ出力する。ここで、受信タイミングは、例えば、ある特定のサブフレームのある特定のシンボルに配置されることが予め決められている既知信号の受信タイミングである。また、既知信号が含まれるサブフレームやフレームの先頭シンボルの受信タイミングである。ここで、既知信号は、たとえば、パイロットや同期信号などである。たとえば、ＬＴＥシステムでは第１の同期信号（PSS：Primary  Synchronization  Signal）や第２の同期信号（SSS：Secondary  Synchronization  Signal）)が用いられている。更に、ＴＤＤを用いるＬＴＥの第１の同期信号（ＰＳＳ）は、サブフレーム＃１とサブフレーム＃６の先頭から３番目のシンボルに配置される。ＦＤＤ(Frequency  Division  Duplex、周波数分割複信)を用いるＬＴＥの第１の同期信号（ＰＳＳ）は、サブフレーム＃０とサブフレーム１０の最初のスロットの最後のシンボルに配置される。また、ＬＴＥにおけるパイロットは、たとえば各サブフレームの先頭または２番目等のシンボルに配置される。なお、先頭であるか２番目であるかは、送信に用いるアンテナによって異なる。これらの受信タイミングは、絶対時間で表されたものでもよいし、第１のセルでの受信タイミングを基準として、各第２のセルの受信タイミングを表現してもよい。
【００８０】
タイミング差算出部１６は、第１のセルでの受信タイミングと、各第２のセルでの受信タイミングとの差を算出し、算出された差に関する情報をタイミング差情報作成部１８へ出力する。
【００８１】
無線回線品質情報作成部１７は、無線回線品質測定算出部１４で算出された回線品質(たとえばＳＩＲ)を離散値（例えば、ＣＱＩ（Channel  Quality  Indicator））に変換し、当該離散値を無線回線品質情報として送信処理部２２へ出力する。なお、無線回線品質情報作成部１７は、離散値に変換せずに、無線回線品質測定算出部１４で算出された無線回線品質そのものを無線回線品質情報として送信処理部２２へ出力してもよい。また、複数のセルについて算出された無線回線品質は、個別に基地局５０−１へ送信されてもよいし、まとめて送信されてもよい。
【００８２】
タイミング差情報作成部１８は、タイミング差算出部１６で算出された受信タイミング差をサブフレームの時間長で除算した余りを求める。すなわち、タイミング差情報作成部１８は、タイミング差算出部１６で算出された受信タイミング差とサブフレーム時間とでモジュローをとる。タイミング差情報作成部１８は、求めた余りをタイミング差情報として送信処理部２２へ出力する。なお、上記の無線回線品質情報とタイミング差情報とは、別々に基地局５０−１へ送信されてもよいし、同時に纏めて送信されてもよい。
【００８３】
回線設定抽出部１９は、基地局５０−１から送信された受信データから、ランダムアクセス手順で用いられる回線設定情報を抽出し、抽出した回線設定情報を無線回線制御部２０へ出力する。
【００８４】
また、回線設定抽出部１９は、基地局５０−１から送信された個別プリアンブルや帯域幅等の回線設定情報を抽出し、抽出した回線設定情報を無線回線制御部２０へ出力する。
【００８５】
無線回線制御部２０は、基地局５０−１から送信された回線設定情報を用いて、追加セルにおいてランダムアクセスプリアンブルを送信するよう制御し、端末と追加セルに対応する基地局５０−Ｘとの間でランダムアクセス手順を実行する。その後、更に、追加セルに対応する基地局５０−Ｘと回線設定を行う。また、無線回線制御部２０は、基地局５０−１から送信された回線設定情報に対する応答メッセージ等の回線設定情報を、回線設定信号作成部２１に作成させる。すなわち、無線回線制御部２０は、追加セルに対応する基地局５０−Ｘとの間でランダムアクセス手順を実行する。
【００８６】
回線設定信号作成部２１は、ランダムアクセス手順において基地局５０−Ｘへ送信するメッセージ等の回線設定情報を送信処理部２２へ出力する。
【００８７】
送信処理部２２は、無線回線品質情報作成部１７、タイミング差情報作成部１８、及び回線設定信号作成部２１から受け取る情報に対して、符号化処理及び変調処理を施し、上り回線リソースにマッピングして、基地局５０宛ての送信信号を作成する。送信処理部２２は、作成した送信信号を、送信無線部２３及びアンテナを介して送信する。
【００８８】
送信無線部２３は、送信処理部２２から受け取る送信信号に所定の無線送信処理、つまり、デジタルアナログ変換、アップコンバート等を施して、アンテナを介して送信する。
【００８９】
［基地局及び端末の動作］
以上の構成を有する基地局５０−１及び端末１０の処理動作について説明する。
【００９０】
図１５は、実施例１の基地局の処理動作の一例を示すフローチャートである。
【００９１】
基地局５０−１は、既知信号作成部５８で作成した既知信号（例えばパイロット）を端末１０へ送信する（ステップＳ１０１）。
【００９２】
基地局５０−１は、取得部５３で端末１０から送信された無線回線品質情報を取得する（ステップＳ１０２）。
【００９３】
基地局５０−１は、取得部５３で端末１０から送信されたタイミング差情報を取得する（ステップＳ１０３）。
【００９４】
基地局５０−１は、回線制御部５５で追加セル選択処理を実行する（ステップＳ１０４）。
【００９５】
図１６は、追加セル選択処理の説明に供するフローチャートの一例である。
【００９６】
まず、追加セル選択処理が開始される段階では、複数の第２のセルのそれぞれについての無線回線品質情報Ｒ１〜Ｒ２ｎ及びタイミング差情報Ｔ１〜Ｔ２ｎが、基地局５０−１によって受信されている。
【００９７】
回線制御部５５は、第１の閾値Ｔｔｈ、受信電力の最大値Ｒｍａｘ、ｉ、及びｋを初期値に設定する（ステップＳ１１１）。Ｒｍａｘ、ｍａｘ、ｉ、及びｋの初期値はゼロである。
【００９８】
そして、回線制御部５５は、タイミング差情報Ｔ１〜Ｔ２ｎの内で、タイミング差が第１の閾値より小さいタイミング時間差情報を選択する（ステップＳ１１２−Ｓ１１６）。
【００９９】
そして、選択されたタイミング時間差情報の内で、対応する無線回線品質が最も良いものに対応するセルを特定する（ステップＳ１１７−Ｓ１２０）。これにより、追加セルが選択される。
【０１００】
図１５に戻り、基地局５０−１は、追加セルに対応する基地局５０−Ｘに対して、回線設定情報を要求する（ステップＳ１０５）。
【０１０１】
基地局５０−１は、追加セルに対応する基地局５０−Ｘから、有線を介して回線設定情報を受信する（ステップＳ１０６）。この回線設定情報には、追加セルを用いて無線回線を確立するために必要な情報、例えば、帯域幅等のシステム情報、回線設定に関する制御情報、及びランダムアクセスに関する情報（例えば、個別ランダムアクセスプリアンブル（dedicated  random  access  preamble））等が含まれている。
【０１０２】
基地局５０−１は、追加セルに関する情報、及び、追加セルに対応する基地局５０−Ｘから受信した回線設定情報を含む制御信号を、端末１０へ送信する（ステップＳ１０７）。この制御信号の送信には、例えば、Mobility  Control  Information  IEを含んだRRCConnectionReconfiguration  messageが用いられる。
【０１０３】
なお、追加セルに対応する基地局５０が基地局５０−１である場合には、ステップＳ１０５−ステップＳ１０７の処理は基地局５０−１と基地局５０−Ｘ間で行われるのではなく、基地局５０−１内で行われる。すなわち、基地局５０−１において通信中の第１のセルに対応する制御部は、追加セルに対応する制御部に対して、回線設定情報を要求する（ステップＳ１０５）。通信中の第１のセルに対応する制御部は、追加セルに対応する制御部から回線設定情報を受信する（ステップＳ１０６）。通信中の第１のセルに対応する制御部は、通信中の第１のセルに対応する送信部に、追加セルに関する情報、及び、追加セルに対応する制御部から受信した回線設定情報を含む制御信号を端末１０へ送信させる（ステップＳ１０７）。
【０１０４】
図１７は、実施例１の端末の処理動作の一例を示すフローチャートである。
【０１０５】
端末１０は、端末１０が信号を受信可能な範囲に存在する基地局５０から送信された既知信号（例えばパイロット）を受信し（ステップＳ２０１）、既知信号抽出部１３で既知信号（例えばパイロット）を抽出する。
【０１０６】
そして、端末１０は、既知信号抽出部１３で抽出された既知信号（例えばパイロット）に基づいて、無線回線品質測定算出部１４で無線回線品質を算出する（ステップＳ２０２）。この無線回線品質の算出は、通信中の第１のセルと、第１のセルに対応する周波数（つまりＣＣ）と異なる測定対象周波数、つまり第２のセルのそれぞれについて行われる。
【０１０７】
そして、端末１０は、算出した無線回線品質、又は、当該無線回線品質（例えば、ＳＩＲ）が変換された離散値（例えば、ＣＱＩ）を、無線回線品質情報として、通信中の第１のセルに対応する基地局５０−１へ送信する（ステップＳ２０３）。
【０１０８】
また、端末１０は、既知信号抽出部１３で抽出された既知信号（例えばパイロット）に基づいて、受信タイミングを測定する（ステップＳ２０４）。この受信タイミングの測定は、通信中の第１のセルと、第１のセルに対応する周波数（つまりＣＣ）と異なる測定対象周波数、つまり第２のセルのそれぞれについて行われる。
【０１０９】
そして、端末１０は、タイミング差算出部１６で、第１のセルでの受信タイミングと、各第２のセルでの受信タイミングとのタイミング差を算出する（ステップＳ２０５）。
【０１１０】
端末１０は、タイミング差に関する情報を、通信中の第１のセルに対応する基地局５０−１へ送信する（ステップＳ２０６）。
【０１１１】
端末１０は、基地局５０−１から第１のセルで送信された制御信号を受信する（ステップＳ２０７）。この制御信号には、追加セルに関する情報、及び、当該追加セルに対応する基地局５０−Ｘからの受信を行うために必要となる回線設定情報が含まれていることがある。
【０１１２】
次に、端末１０と、端末１０が信号を受信可能な範囲に存在する複数の基地局５０との処理動作について説明する。図１８は、端末及び基地局の処理動作の一例を示すシーケンス図である。図１８では、一例として、１つの端末１０（つまりＵＥ）と、端末１０が接続中の基地局５０−１であるｅＮＢ１と、端末１０が未接続の基地局５０−ＸであるｅＮＢ２，３とを挙げて説明する。ここで、ｅＮＢ１は、ＵＥとの間で既に第１のセルでの無線回線が確立されている。第１のセルは、ｅＮＢ１のＣＣ２に対応する。
【０１１３】
ＵＥとｅＮＢ１とは、ＣＣ２を用いて通信している（ステップＳ３０１）。
【０１１４】
そして、ｅＮＢ１−３のそれぞれは、各ＣＣを用いて既知信号（例えばパイロット）を送信する（ステップＳ３０２−Ｓ３０４）。ここでは、ＵＥの測定対象ＣＣを、ＣＣ２に隣接しているＣＣ１及びＣＣ３としている。また、追加セルに対応する基地局５０−Ｘを、ｅＮＢ１以外のｅＮＢ２，３としている。
【０１１５】
そして、ＵＥは、既知信号（例えばパイロット）に基づいて、各セルについての無線回線品質を算出する（ステップＳ３０５）。
【０１１６】
続いて、ＵＥは、算出した無線回線品質、又は、当該無線回線品質（例えば、ＳＩＲ）が変換された離散値（例えば、ＣＱＩ）を、無線回線品質情報として、ｅＮＢ１へ送信する（ステップＳ３０６）。
【０１１７】
また、ＵＥは、既知信号（例えばパイロット）に基づいて、各セルについての受信タイミングを測定する（ステップＳ３０７）。
【０１１８】
更に、ＵＥは、ｅＮＢ１のＣＣ２での受信タイミングと、ｅＮＢ２，３のＣＣ１及びＣＣ３のそれぞれでの受信タイミングとの受信タイミング差を算出する（ステップＳ３０８）。
【０１１９】
そして、ＵＥは、タイミング差に関する情報を、ｅＮＢ１へ送信する（ステップＳ３０９）。
【０１２０】
ｅＮＢ１は、ＵＥから送信された無線回線品質情報及びタイミング差情報に基づいて、追加セルを選択する（ステップＳ３１０）。ここでは、追加セルとして、ｅＮＢ３のＣＣ３が選択されたとする。
【０１２１】
続いて、ｅＮＢ１は、追加セルに対応するｅＮＢ３に対して、回線設定情報を要求するためのメッセージを送信する（ステップＳ３１１）。
【０１２２】
ｅＮＢ３は、ｅＮＢ３のＣＣ３の回線設定情報をｅＮＢ１へ送信する（ステップＳ３１２）。ここで、上述の通り、回線設定情報には、追加セルを用いて無線回線を確立するために必要な情報、例えば、帯域幅等のシステム情報、回線設定に関する制御情報、及びランダムアクセスに関する情報（例えば、個別ランダムアクセスプリアンブル（dedicated  random  access  preamble））等が含まれている。また、ｅＮＢ３は、複数のランダムアクセスプリアンブル候補の中から、追加セルに対応するランダムアクセスプリアンブルを選択し、選択したランダムアクセスプリアンブルを回線設定情報に含めて、ｅＮＢ１へ送信する。
【０１２３】
ｅＮＢ１は、追加セルに関する情報、及び、追加セルの回線設定情報を、ＵＥへ送信する（ステップＳ３１３）。この回線設定情報の送信には、例えば、下り制御チャネル（PDCCH: Physical  Downlink  Control  CHannel）が用いられる。
【０１２４】
ＵＥは、受け取った追加セルの回線設定情報を用いて、ｅＮＢ３のＣＣ３でランダムアクセス手順を実施する（ステップＳ３１４）。図１９は、ランダムアクセス手順の一例を示す図である。まず、メッセージ０として、ｅＮＢ３からｅＮＢ１を介してＵＥへ回線設定情報が送信される。これは、上記のステップＳ３１２，Ｓ３１３で既に行われている。そして、ＵＥは、ｅＮＢ３のＣＣ３で送信する個別ランダムアクセスプリアンブルを、メッセージ１として、ｅＮＢ３のＣＣ３で送信する。なお、ランダムアクセスプリアンブルは、追加セルであるＣＣ３で送信される。そして、ｅＮＢ３は、ＣＣ３でランダムアクセスレスポンスを、メッセージ２として、ＵＥへ送信する。ここで、ｅＮＢ３は、既にｅＮＢ１を介してＵＥに通知した個別ランダムアクセスプリアンブルと、ＵＥから受信したランダムアクセスプリアンブルが一致した場合に、回線制御部５５の回線制御信号作成部５９でランダムアクセスレスポンスを作成する。これにより、ＵＥとｅＮＢ３との間でＣＣ３の回線が確立される。一方で、ｅＮＢ３は、ＵＥから送信されたランダムアクセスプリアンブルの受信タイミングを受信タイミング測定部５４で測定し、当該測定された受信タイミングに基づいて、回線制御部５５でＴＡコマンドを作成する。このＴＡコマンドも、ランダムアクセスレスポンスに含められて、ＵＥへ送信される。
【０１２５】
そして、ＵＥは、ｅＮＢ１のＣＣ２と、ｅＮＢ３のＣＣ３とによって、データを送受信する（ステップＳ３１５，Ｓ３１６）。
【０１２６】
以上のように本実施例によれば、基地局５０−１において、取得部５３は、端末１０と通信中の第１のセルにおける第１の受信タイミングと、基地局５０−１又は基地局５０−Ｘにそれぞれ対応する、複数の第２のセルの各々における第２の受信タイミングとの差を示す情報を取得する。そして、回線制御部５５は、複数の第２のセルに含まれ且つ第１のセルと同時に使用される追加セルを端末１０へ通知する制御信号を、第１の受信タイミングと第２の受信タイミングとの受信タイミング差に基づいて作成する。
【０１２７】
この基地局５０の構成により、セル間で上り送信タイミングと下り受信タイミングとが重なるか否かまたは重なる場合に対して余裕があるか否かの判定指標となる、受信タイミング差に基づいて端末１０に対する制御信号を作成できる。これにより、送信波のスプリアスに起因する受信品質の劣化を防止することができる。すなわち、図２０に示すように、端末１０がＣＣ２で上り送信を行っていても、ＣＣ２以外のＣＣへ漏れ出す電力（図２０におけるＳ２）が発生する。この状況において、端末１０がＣＣ２に隣接するＣＣ３で下り受信すると、図２１に示すように、スプリアス成分が下り受信を妨害することになる。ＣＣ３での受信電力（図２１におけるＳ１’）に対するスプリアス成分の比（つまり、信号電力対干渉電力比ＳＩＲ（又はＳＮＲ））が大きくなって劣化し、受信品質が劣化するためである。特に、隣接ＣＣ（つまり隣接チャネル）でのスプリアス成分の電力が大きくなる傾向があり、例えば、隣接チャネル漏洩電力比（ＡＣＬＲ：Adjacent  Channel  Leakage  Ratio）が大きいときに、この問題が生じ易い。この問題は、ＣＣ１での端末１０と基地局５０との間の伝搬距離が小さく、ＣＣ３での端末１０と基地局５０との間の伝搬距離が大きいときに、特に顕著となる。この伝搬距離の差は、端末１０と基地局５０との間の物理的な距離の差によっても生じるし、又は、周波数の違いによっても生じる。しかしながら、本実施例によれば、通信中の第１のセルとの間で、上り送信タイミングと下り受信タイミングとが重ならないセルを追加セルとすることができるので、送信波のスプリアスに起因する受信品質の劣化を防止することができる。
【０１２８】
例えば、回線制御部５５は、受信タイミング差に基づいて、複数の第２のセルの中から追加セルを選択するセル選択部７５を含み、複数の第２のセルの中から、受信タイミング差が第１の閾値以下であるセルを、追加セルとして選択する。
【０１２９】
そして、第１の閾値は、下りサブフレームと上りサブフレームとに挟まれるサブフレームに規定される無伝送区間（つまり、ギャップ区間）の長さに応じた値とされる。例えば、ＴＤＤフレームパターンがconfiguration＃０の場合、ＤｗＰＴＳは、ＲＳとＰＳＳと他のシンボル１つの合計３シンボル分である。ここで、ＲＳ（Reference  Signal）はパイロットであり、ＰＳＳ（Primary  Synchronisation  Signal）は、第１の同期信号であり、端末が基地局から送信された信号のフレーム先頭や受信信号（受信シンボル）の先頭タイミング等を検出し同期させるものである。ＵｐＰＴＳはＳＲＳの１シンボル分である。ここで、ＳＲＳ（Sounding  Reference  Signal）は、上りの無線回線品質を基地局において測定算出するものである。よって、Ｇａｐが１０シンボル分である。従って，第１の閾値は、ＴＤＤフレームパターンがconfiguration＃０の場合には、１０シンボル以下であればよい。好ましくは、第１の閾値は、ＴＤＤフレームパターンがconfiguration＃０の場合には、例えば５シンボル以下とする。また、第１の閾値は、ＴＤＤフレームパターンがconfiguration＃０の場合には、例えば、ＵｐＰＴＳに対応する１シンボル又は２シンボルとしてもよい。また、例えば、第１の閾値は、ＴＤＤフレームパターンがconfiguration＃１の場合には、４シンボル以下であればよい。
【０１３０】
なお、以上で説明した通信システム１には、以下の変更を行うことができる。
【０１３１】
［１］以上の説明では、端末１０は、受信タイミングから算出したタイミング差を基地局５０−１に送信しているが、本発明はこれに限定されるものではない。例えば、端末１０は、通信中である第１のセルにおける第１の受信タイミングを示す情報、及び第１のセルと周波数が異なる複数の第２のセルの各々における第２の受信タイミングを示す情報を、基地局５０−１に送信してもよい。この場合、基地局５０−１は、回線制御部５５で受信タイミング差を算出し、算出した受信タイミング差に基づいて、追加セルを選択する。すなわち、この場合、回線制御部５５が、受信タイミング差を取得する機能を有している。要するに、基地局５０−１は、端末１０における各セルの受信時間に関する情報を取得し、当該情報の取得に応じて、端末１０について同時に使用するセルを制御できればよい。
【０１３２】
［２］また、端末１０が第１のセルと周波数が異なる複数の第２のセルの各々における第２の受信タイミングを示す情報を基地局５０−１へ送信する場合、基地局５０−１は次の処理を行ってもよい。すなわち、基地局５０−１は、ＴＡ設定部７２で受信タイミングに基づいて、第２のセルにおける端末１０の送信タイミングを調整する制御情報（つまり、ＴＡ値）を推定する。そして、基地局５０−１は、セル選択部７５で、推定された制御情報と、第１のセルにおける端末１０の送信タイミングを調整する制御情報とに基づいて、複数の第２のセルの中から追加セルを選択する。
【０１３３】
［３］以上の説明では、複数の第２のセルの中に、受信タイミング差が第１の閾値以下であるセルが含まれない場合について特に触れていないが、この場合には、以下のような処理を行ってもよい。
【０１３４】
（１）複数の第２のセル（つまり、Ｓ−Ｃｅｌｌ候補群）に対応するＣＣが、通信中の第１のセル（ＣＣ）に隣接することを前提とする。このときに、複数の第２のセルの中に、受信タイミング差が第１の閾値以下であるセルが含まれない場合には、基地局５０−１は、ＣＡを断念し、このことを端末１０に通知する制御信号を回線制御部５５で作成する。すなわち、接続中の第１のセル（つまり、Ｐ−Ｃｅｌｌ）のみを使用した通信が継続される。
【０１３５】
（２）複数の第２のセル（つまり、Ｓ−Ｃｅｌｌ候補群）の中で、無線回線品質の最も良いセルを選択し、当該選択セルと、通信中の第１のセル（つまり、現在のＰ−Ｃｅｌｌ）とのいずれか一方のみを、基地局５０−１は、使用セル、つまりＰ−Ｃｅｌｌとする。このとき、基地局５０−１は、回線制御部５５で、使用セルを変更したことを示す制御信号を作成し、端末１０へ送信する。なお、Ｐ−Ｃｅｌｌが変更される度に、Ｓ−Ｃｅｌｌ候補群も変更される。
【０１３６】
（３）複数の第２のセルに対応するＣＣが、通信中の第１のセル（ＣＣ）に隣接することを前提とする。このときに、基地局５０−１は、セル選択部７５で、第１のセルに対応する周波数と一定以上離れた周波数に対応する複数の第３のセルの中から、追加セルを選択する。例えば、取得部５３は、複数の第３のセルの各々における第３の受信タイミングを示す情報、又は、第１の受信タイミングと前記第３の受信タイミングとの第２の受信タイミング差を示す情報を取得する。そして、セル選択部７５は、複数の第３のセルの中から、第２の受信タイミング差が第２の閾値以下であるセルを、追加セルとして選択する。第２の閾値は、第１の閾値よりも大きい。この場合、端末１０が不連続な複数のＣＣを用いた通信に対応可能な構成を有している。
【０１３７】
（４）基地局５０−１は、複数の第２のセル（つまり、Ｓ−Ｃｅｌｌ候補群）の中で、無線回線品質の最も良いセルを追加セルとして選択する。
【０１３８】
［４］以上の説明では、ランダムアクセス手順を用いて、Ｐ−Ｃｅｌｌに対して、Ｓ−Ｃｅｌｌを追加する場合について説明を行った。以上で説明したセルの追加処理は、Ｐ−Ｃｅｌｌと１つ以上のＳ−Ｃｅｌｌとで通信が行われているときにＳ−Ｃｅｌｌを変更する場合にも適用できる。すなわち、通信中のＳ−Ｃｅｌｌｘが削除され、Ｓ−Ｃｅｌｌ候補のＳ−Ｃｅｌｌｙを追加する。言い換えれば、Ｓ−ＣｅｌｌｘをＳ−Ｃｅｌｌｙに変更する。この状況は、例えば、ハンドオーバ時に起こりうる。
【０１３９】
［５］以上の説明では、通信中の第１のセルに対して、追加セルが追加されることを前提として説明を行ったが、これに限定されない。すなわち、基地局５０−１において取得部５３は、基地局５０−１又は基地局５０−Ｘにそれぞれ対応する複数のセルの各々における受信タイミングを示す情報を取得する。換言すれば、基地局５０−１において取得部５３は、端末１０が在圏する各セルの受信タイミングを示す情報を取得する。又は、取得部５３は、基地局５０−１又は基地局５０−Ｘにそれぞれ対応する複数のセル内でのセルの各組合せについての受信タイミング差を取得する。換言すれば、基地局５０−１において取得部５３は、端末１０が在圏する各セル同士の受信タイミング差を示す情報を取得する。そして、回線制御部５５は、各組合せについての受信タイミング差に基づいて、一方のセルの上り送信タイミングと他方のセルの下り受信タイミングとが重ならないセルの組合せを端末１０へ通知する制御信号を作成してもよい。端末１０は、当該制御信号を受信し、当該制御信号の示すセルの組合せを用いて通信する。なお、基地局５０−１は、端末１０へ通知するセルの組合せから、基地局５０−Ｘのセル同士の組合せを除外してもよい。この場合、取得部５３が取得する受信タイミング差を示す情報から、基地局５０−Ｘのセル同士の組合せが除外されてもよい。
【０１４０】
［実施例２］
実施例１では、基地局が、第１段階として、タイミング差に基づいて追加セル候補を選択し、第２段階として、無線回線品質に基づいて追加セルを選択している。これに対して，実施例２では、端末が、第１段階として、タイミング差に基づいて追加セル候補を選択し、基地局が、第２段階として、無線回線品質に基づいて追加セルを選択する。なお、実施例１との相違点を中心に説明し、実施例１の動作と共通する部分についてはその説明を省略する。以下では、後述の第１のセルに対応する基地局１５０、つまり接続中の基地局１５０を基地局１５０−１と呼び、基地局１５０−１と異なる基地局１５０を基地局１５０−Ｘと呼ぶことがある。基地局１５０−Ｘは、１つ存在する場合もあれば、複数存在する場合もある。また、基地局１５０−１と基地局１５０−Ｘとを特に区別しない場合には、両者をまとめて基地局１５０と呼ぶことがある。なお、複数の基地局１５０は、上位局と有線で接続され、上位局を介して互いに接続されていてもよい。又は、複数の基地局１５０は、有線で直接接続されていてもよい。また、基地局１５０は、例えば、ＬＴＥシステムにおける、張出基地局（ＲＲＨ：Radio  Remote  Header）を用いた基地局、フェムト基地局、又は、小型基地局であってもよい。
【０１４１】
［端末の構成例］
図２２は、実施例２の端末の一例を示す機能ブロック図である。図２２において、端末１１０は、無線回線制御部１１１と、回線制御情報作成部１１２とを有する。ここで、受信無線部１１と、受信処理部１２と、既知信号抽出部１３と、無線回線品質測定算出部１４と、受信タイミング測定部１５と、タイミング差算出部１６と、回線設定抽出部１９とを受信部としてもよい。また、無線回線制御部１１１を制御部とし、無線回線品質情報作成部１７と、回線設定信号作成部２１と、送信処理部２２と、送信無線部２３と、回線制御情報作成部１１２とを送信部としてもよい。
【０１４２】
なお、キャリアアグリゲーションの態様によっては、図２２では図示していないが、送信部及び受信部の一部または全てを複数備えていても良い。たとえば、少なくとも２つの異なる周波数バンドに属する周波数帯域をアグリゲーションする場合は、使用する周波数バンドに対応する複数の送信部及び受信部を備える構成としてもよい。
【０１４３】
無線回線制御部１１１は、実施例１の無線回線制御部２０と同様の機能を有している。さらに、無線回線制御部１１１は、タイミング差算出部１６で算出されたタイミング差に基づいて、後述する基地局１５０−１と通信中の第１のセルと共に使用する、追加セルの候補を基地局１５０−１へ通知する制御信号を作成する。追加セルの候補は、複数在る場合がある。
【０１４４】
例えば、無線回線制御部１１１は、タイミング差算出部１６から複数の第２のセルについてのタイミング差情報を受け取った場合、タイミング差情報の示すタイミング差が第１の閾値以下であるセルを、追加セル候補として選択する。なお、無線回線制御部１１１は、第１のセル及び第２のセルに共通して設定されているＳＦパターンのギャップ区間の長さに応じた値に、第１の閾値を設定する。また、複数の第２のセルから、基地局１５０−１に対応するセルを除外してもよいし、複数の第２のセルに基地局１５０−１に対応するセルを含めてもよい。以下では、一例として、基地局１５０−１に対応するセルが複数の第２のセルから除外される場合について説明する。
【０１４５】
そして、無線回線制御部１１１は、選択した追加セル候補に関する情報を回線制御情報作成部１１２へ出力する。
【０１４６】
回線制御情報作成部１１２は、無線回線制御部１１１で選択された追加セル候補に関する情報を含む回線制御情報を作成し、送信処理部２２へ出力する。
【０１４７】
［基地局の構成例］
図２３は、実施例２の基地局の一例を示す機能ブロック図である。図２３において、基地局１５０は、取得部１５１と、回線制御部１５２とを有する。ここで、受信無線部５１と、受信処理部５２と、取得部１５１と、受信タイミング測定部５４とを受信部とし、回線制御部１５２を制御部とし、送信処理部５６と、送信無線部５７と、既知信号作成部５８と、回線制御信号作成部５９とを送信部としてもよい。
【０１４８】
なお、キャリアアグリゲーションの態様によっては、図２３では図示していないが、送信部及び受信部の一部または全てを複数備えていても良い。たとえば、少なくとも２つの異なる周波数バンドに属する周波数帯域をアグリゲーションする場合は、使用する周波数バンドに対応する複数の送信部及び受信部を備える構成としてもよい。
【０１４９】
また、基地局１５０は、上記の受信部、制御部、及び送信部を複数セット有し、各セットが各セルに対応していてもよい。
【０１５０】
また、以下における基地局１５０の構成例の説明では、主に、基地局１５０が第１のセルに対応する基地局１５０−１である場合について説明する。
【０１５１】
取得部１５１は、受信処理部５２から出力された受信データから、回線制御情報を抽出する。この回線制御情報には、上記の通り、端末１０で選択された追加セル候補に関する情報が含まれていることがある。例えば、取得部１５１は、回線制御情報抽出部１６１を有し、回線制御情報抽出部１６１で回線制御情報を抽出する。
【０１５２】
回線制御部１５２は、取得部１５１で取得された回線制御情報に含まれる、１つ又は複数の追加セル候補の中から、無線回線品質情報に基づいて、追加セルを選択する。例えば、回線制御部１５２は、追加セル候補の中で、対応する無線回線品質情報の示す品質が最も良いものを追加セルとして選択する。回線制御部１５２は、選択した追加セルに関する情報を制御信号に含めて、端末１１０へ送信する。
【０１５３】
図２４は、実施例２の回線制御部の一例を示す機能ブロック図である。図２４において、回線制御部１５２は、セル選択部１７１を有する。このセル選択部１７１が、取得部１５１で取得された回線制御情報に含まれる無線回線品質情報に基づいて、１つ又は複数の追加セル候補の中から、追加セルを選択する。
【０１５４】
［端末及び基地局の動作］
以上の構成を有する端末１１０及び基地局１５０−１の処理動作について説明する。
【０１５５】
図２５は、実施例２の基地局の処理動作の一例を示すフローチャートである。
【０１５６】
基地局１５０−１は、取得部１５１で端末１１０から送信された回線制御情報を取得する（ステップＳ４０１）。この回線制御情報には、上記の通り、端末１０で選択された追加セル候補に関する情報が含まれていることがある。
【０１５７】
そして、基地局１５０−１は、取得部１５１で取得された回線制御情報に含まれる、１つ又は複数の追加セル候補の中から、無線回線品質情報に基づいて、追加セルを選択する（ステップＳ４０２）。
【０１５８】
図２６は、実施例２の端末の処理動作の一例を示すフローチャートである。
【０１５９】
端末１１０は、無線回線制御部１１１で、タイミング差算出部１６で算出されたタイミング差に基づいて、基地局１５０−１と通信中の第１のセルと同時に使用する、追加セルの候補を選択する（ステップＳ５０１）。
【０１６０】
そして、端末１１０は、選択した追加セル候補に関する無線回線品質情報を含めた回線制御情報を、通信中の第１のセルに対応する基地局５０−１へ送信する（ステップＳ５０２）。
【０１６１】
次に、端末１１０と、端末１１０が信号を受信可能な範囲に存在する複数の基地局１５０との処理動作について説明する。図２７は、実施例２の端末及び基地局の処理動作の一例を示すシーケンス図である。図２７では、一例として、１つの端末１１０（つまりＵＥ）と、端末１１０が接続中の基地局１５０−１であるｅＮＢ１と、端末１１０が未接続の基地局１５０−ＸであるｅＮＢ２，３とを挙げて説明する。そして、ｅＮＢ１は、ＵＥとの間で既に第１のセルでの無線回線が確立されている。第１のセルは、ｅＮＢ１のＣＣ２に対応する。
【０１６２】
ＵＥは、ステップＳ３０８で算出した受信タイミング差に基づいて、ｅＮＢ１との間で通信中の第１のセルと同時に使用する、追加セルの候補を選択する（ステップＳ６０１）。
【０１６３】
そして、端末１１０は、選択した追加セル候補に関する情報及び当該追加セルに関する無線回線品質情報を含めた回線制御情報を、通信中の第１のセルに対応するｅＮＢ１へ送信する（ステップＳ６０２）。
【０１６４】
そして、ｅＮＢ１は、取得部１５１で取得された回線制御情報に含まれる、１つ又は複数の追加セル候補の中から、無線回線品質情報に基づいて、追加セルを選択する（ステップＳ６０３）。
【０１６５】
以上のように本実施例によれば、端末１１０において、無線回線制御部１１１は、複数の第２のセルに含まれ且つ第１のセルと共に使用される追加セルの候補に関する情報を基地局１５０−１へ通知する制御信号を、第１の受信タイミングと第２の受信タイミングとの受信タイミング差に基づいて作成する。
【０１６６】
この端末１１０の構成により、セル間で上り送信タイミングと下り受信タイミングとが重なるか否かまたは重なる場合に対して余裕があるか否かの判定指標となる、受信タイミング差に基づいて制御信号を作成できる。そして、この制御信号の通知を受けた基地局１５０−１によって選択された追加セルを用いて、端末１１０が通信を行うことにより、送信波のスプリアスに起因する受信品質の劣化を防止することができる。
【０１６７】
［実施例３］
実施例３では、追加セルの複数の候補に対して１つずつ順次、回線を仮に確立し、当該追加セルの候補が条件を満たす場合に、当該追加セルの候補を追加セルとする。なお、実施例１及び実施例２との相違点を中心に説明し、実施例１及び実施例２の動作と共通する部分についてはその説明を省略する。以下では、後述の第１のセルに対応する基地局２５０、つまり接続中の基地局２５０を基地局２５０−１と呼び、基地局２５０−１と異なる基地局２５０を基地局２５０−Ｘと呼ぶことがある。基地局２５０−Ｘは、１つの場合もあれば、複数存在する場合もある。また、基地局２５０−１と基地局２５０−Ｘとを特に区別しない場合には、両者をまとめて基地局２５０と呼ぶことがある。なお、複数の基地局２５０は、上位局と有線で接続され、上位局を介して互いに接続されていてもよい。又は、複数の基地局２５０は、有線で直接接続されていてもよい。
【０１６８】
［端末の構成例］
図２８は、実施例３の端末の一例を示す機能ブロック図である。図２８において、端末２１０は、タイミング情報抽出部２１１と、無線回線制御部２１２と、回線制御情報作成部２１３とを有する。ここで、受信無線部１１と、受信処理部１２と、既知信号抽出部１３と、無線回線品質測定算出部１４と、回線設定抽出部１９と、タイミング情報抽出部２１１とを受信部とし、無線回線制御部２１２を制御部とし、無線回線品質情報作成部１７と、回線設定信号作成部２１と、送信処理部２２と、送信無線部２３と、回線制御情報作成部２１３とを送信部としてもよい。
【０１６９】
なお、キャリアアグリゲーションの態様によっては、図２８では図示していないが、送信部及び受信部の一部または全てを複数備えていても良い。たとえば、少なくとも２つの異なる周波数バンドに属する周波数帯域をアグリゲーションする場合は、使用する周波数バンドに対応する複数の送信部及び受信部を備える構成としてもよい。
【０１７０】
タイミング情報抽出部２１１は、受信データから、無線回線を仮確立する対象である追加セル候補でのランダムアクセス手順において、追加セル候補に対応する基地局２５０から送信された送信タイミング情報を抽出し、当該送信タイミング情報を無線回線制御部２１２へ出力する。送信タイミング情報は、ＴＡコマンドに対応する。なお、接続中の第１のセルについての送信タイミング情報も定期的に送信されてくるので、タイミング情報抽出部２１１は、この送信タイミング情報も抽出し、無線回線制御部２１２へ出力する。また、追加セル候補の母集団（つまり、複数の第２のセル）から、基地局２５０−１に対応するセルを除外してもよいし、追加セル候補の母集団に基地局２５０−１に対応するセルを含めてもよい。以下では、一例として、追加セル候補の母集団から、基地局２５０−１に対応するセルが除外される場合について説明する。
【０１７１】
無線回線制御部２１２は、実施例１の無線回線制御部２０と同等の機能を有する。さらに、無線回線制御部２１２は、回線設定抽出部１９から受け取る、追加セル候補に対応する回線設定情報を用いて、追加セル候補においてランダムアクセスプリアンブルを送信するように制御し、端末２１０と追加セル候補に対応する基地局２５０−Ｘとの間でランダムアクセス手順を実行する。
【０１７２】
また、無線回線制御部２１２は、タイミング情報抽出部２１１で抽出された送信タイミング情報を回線制御情報作成部２１３へ出力し、回線制御情報作成部２１３に、送信タイミング情報を含めた回線制御情報を作成させる。
【０１７３】
回線制御情報作成部２１３は、送信タイミング情報を含めた回線制御情報を作成し、送信処理部２２へ出力する。これにより、追加セル候補に対応する基地局２５０−Ｘから送信された送信タイミング情報を、第１のセルに対応する基地局２５０−１へ通知することができる。
【０１７４】
［基地局の構成例］
図２９は、実施例３の基地局の一例を示す機能ブロック図である。図２９において、基地局２５０は、取得部２５１と、回線制御部２５２とを有する。なお、受信無線部５１と、受信処理部５２と、取得部２５１と、受信タイミング測定部５４とを受信部とし、回線制御部２５２を制御部とし、送信処理部５６と、送信無線部５７と、既知信号作成部５８と、回線制御信号作成部５９とを送信部としてもよい。
【０１７５】
なお、キャリアアグリゲーションの態様によっては、図２９では図示していないが、送信部及び受信部の一部または全てを複数備えていても良い。たとえば、少なくとも２つの異なる周波数バンドに属する周波数帯域をアグリゲーションする場合は、使用する周波数バンドに対応する複数の送信部及び受信部を備える構成としてもよい。
【０１７６】
また、基地局２５０は、上記の受信部、制御部、及び送信部を複数セット有し、各セットが各セルに対応していてもよい。
【０１７７】
また、以下における基地局２５０の構成例の説明では、主に、基地局２５０が第１のセルに対応する基地局２５０−１である場合について説明する。
【０１７８】
取得部２５１は、受信処理部５２から出力された受信データから、回線制御情報を抽出する。この回線制御情報には、上記の通り、追加セル候補に対応する基地局２５０−Ｘから送信された送信タイミング情報が含まれていることがある。例えば取得部２５１は、回線制御情報抽出部２６１を有し、回線制御情報抽出部２６１で回線制御情報を抽出する。
【０１７９】
回線制御部２５２は、取得部２５１で取得された、複数の第２のセルについての無線回線品質情報に基づいて、複数の第２のセルの中から、追加セル候補を選択する。例えば、回線制御部２５２は、複数の第２のセルの中で無線回線品質情報の示す品質が最も良いセルを、追加セル候補として選択する。
【０１８０】
そして、回線制御部２５２は、追加セル候補に対応する基地局２５０−Ｘに対して追加セル候補についての回線設定情報を要求し、当該要求に対応する回線設定情報を、追加セル候補に対応する基地局２５０−Ｘから取得部２５１を介して受け取る。この回線設定情報は、端末２１０へ送信される。これにより、端末２１０は、この回線設定情報を用いて、追加セルにおけるランダムアクセス手順を実行することができる。
【０１８１】
また、回線制御部２５２は、端末２１０と通信中の第１のセルにおける端末２１０についての第１の送信タイミング情報と、追加セル候補における端末２１０についての第２の送信タイミング情報とに基づいて、追加セル候補を追加セルとするか否かを判定する。回線制御部２５２は、第１の送信タイミング情報の示す値と、第２の送信タイミング情報の示す値との差が第３の閾値以下であるときに、追加セル候補を追加セルとすると判定する。一方、回線制御部２５２は、第１の送信タイミング情報の示す値と、第２の送信タイミング情報の示す値との差が第３の閾値より大きいときに、追加セル候補を追加セルとしないと判定する。
【０１８２】
上記第１と第２の送信タイミング差が第３の閾値以下である場合には、回線制御部２５２は、追加セル候補を追加セルとする旨の情報を、回線制御情報として、端末２１０及び追加セルに対応する基地局２５０へ通知する。
【０１８３】
一方、送信タイミング差が第３の閾値よりも大きい場合には、回線制御部２５２は、今回の追加セル候補を追加セルにしない旨の情報を、回線制御情報として、端末２１０及び今回の追加セル候補に対応する基地局２５０−Ｘへ通知する。そして、回線制御部２５２は、複数の第２のセルの中で今回の追加セル候補の次に無線回線品質の良いセルを、次の追加セル候補として選択する。当該追加セル候補を今回の追加セル候補として上記の処理を繰り返す。この繰り返し処理は、条件を満たす追加セル候補が見つかるまで繰り返してもよいし、予め決められた上限回数に到達するまで繰り返してもよい。上限回数まで繰り返しても条件を満たす追加セル候補が見つからない場合には、回線制御部２５２は、ＣＡを行わない旨の情報を端末２１０へ通知してもよい。
【０１８４】
図３０は、実施例３の回線制御部の一例を示す機能ブロック図である。図３０において、回線制御部２５２は、セル選択部２７１を有する。このセル選択部２７１が、追加セル候補の選択処理、及び、追加セル候補を追加セルとするか否かの判定処理を実行する。
【０１８５】
［端末及び基地局の動作例］
以上の構成を有する端末２１０及び基地局２５０−１の処理動作について説明する。
【０１８６】
図３１は、実施例３の基地局の処理動作の一例を示すフローチャートである。
【０１８７】
基地局２５０−１は、回線制御部２５２において、取得部５３で取得された、複数の第２のセルについての無線回線品質情報に基づいて、複数の第２のセルの中から、追加セル候補を選択する（ステップＳ７０１）。
【０１８８】
そして、基地局２５０−１は、回線制御部２５２において、追加セル候補に対応する基地局２５０−Ｘに対して追加セル候補についての回線設定情報を要求する（ステップＳ７０２）。
【０１８９】
そして、基地局２５０−１は、追加セル候補に対応する基地局２５０−Ｘから、有線を介して回線設定情報を受信する（ステップＳ７０３）。
【０１９０】
そして、基地局２５０−１は、追加セル候補に関する情報、及び、追加セル候補に対応する基地局２５０−Ｘから受信した回線設定情報を含む制御信号を、端末２１０へ送信する（ステップＳ７０４）。
【０１９１】
そして、基地局２５０−１は、回線制御部２５２において、追加セル候補における端末２１０についての第２の送信タイミング情報を含む回線制御情報を受信する（ステップＳ７０５）。
【０１９２】
そして、基地局２５０−１は、回線制御部２５２において、追加セル候補を追加セルとするか否かを判定する（ステップＳ７０６）。この判定には、端末２１０と通信中の第１のセルにおける端末２１０についての第１の送信タイミング情報と、追加セル候補における端末２１０についての第２の送信タイミング情報とが用いられる。
【０１９３】
追加セル候補を追加セルとする場合（ステップＳ７０６肯定）、処理は終了する。この後、端末２１０は、第１のセルと追加セルとの両方を同時に用いて通信を行う。
【０１９４】
一方、追加セル候補を追加セルとしない場合（ステップＳ７０６否定）、基地局２５０−１は、回線制御部２５２において、次の追加セル候補を選択する（ステップＳ７０１）。例えば、回線制御部２５２は、複数の第２のセルの中で今回の追加セル候補の次に無線回線品質の良いセルを、次の追加セル候補として選択する。
【０１９５】
図３２は、実施例３の端末の処理動作の一例を示すフローチャートである。
【０１９６】
端末２１０は、基地局２５０−１から第１のセルで送信された制御信号を受信する（ステップＳ８０１）。この制御信号には、追加セル候補に関する情報、及び、追加セル候補に対応する基地局２５０−Ｘから受信した回線設定情報が含まれていることがある。
【０１９７】
そして、端末２１０は、回線設定情報が示すランダムアクセスプリアンブルを、追加セル候補において送信する（ステップＳ８０２）。
【０１９８】
そして、端末２１０は、追加セル候補においてランダムアクセスレスポンスを受信する（ステップＳ８０３）。
【０１９９】
そして、端末２１０は、ランダムアクセスレスポンスに含まれている追加セル候補の送信タイミング情報を含めた回線制御情報を、第１のセルに対応する基地局２５０−１へ送信する（ステップＳ８０４）。
【０２００】
そして、端末２１０は、基地局２５０−１から第１のセルで送信された制御信号を受信する（ステップＳ８０５）。この制御信号には、今回の追加セル候補を追加セルとするか否かを示す情報が含まれる。
【０２０１】
そして、端末２１０は、制御信号に基づいて、今回の追加セル候補を追加セルとするか否かを判定する（ステップＳ８０６）。
【０２０２】
今回の追加セル候補を追加セルとする場合（ステップＳ８０６肯定）、処理は終了する。一方、今回の追加セル候補を追加セルとしない場合（ステップＳ８０６否定）、処理は、ステップＳ８０１に戻る。
【０２０３】
次に、端末２１０と、端末２１０が信号を受信可能な範囲に存在する複数の基地局２５０との処理動作について説明する。図３３は、実施例３の端末及び基地局の処理動作の一例を示すシーケンス図である。図３３では、一例として、１つの端末２１０（つまりＵＥ）と、端末２１０が接続中の基地局２５０−１であるｅＮＢ１と、端末２１０が未接続の基地局２５０−ＸであるｅＮＢ２，３とを挙げて説明する。そして、ｅＮＢ１は、ＵＥとの間で既に第１のセルでの無線回線が確立されている。第１のセルは、ｅＮＢ１のＣＣ２に対応する。
【０２０４】
ｅＮＢ１は、ＵＥから送信された無線回線品質情報に基づいて、追加セル候補を選択する（ステップＳ９０１）。ここでは、追加セル候補として、ｅＮＢ２のＣＣ３が選択されたとする。
【０２０５】
そして、ｅＮＢ１は、追加セル候補に対応するｅＮＢ２に対して、回線設定情報を要求するためのメッセージを送信する（ステップＳ９０２）。
【０２０６】
そして、ｅＮＢ２は、ｅＮＢ２のＣＣ３の回線設定情報をｅＮＢ１へ送信する（ステップＳ９０３）。ここで、上述の通り、回線設定情報には、追加セル候補を仮確立するために必要な情報、例えば、帯域幅等のシステム情報、回線設定に関する制御情報、及びランダムアクセスに関する情報（例えば、個別ランダムアクセスプリアンブル（dedicated  random  access  preamble））等が含まれている。また、ｅＮＢ２は、複数のランダムアクセスプリアンブル候補の中から、追加セルに対応するランダムアクセスプリアンブルを選択し、選択したランダムアクセスプリアンブルを回線設定情報に含めて、ｅＮＢ１へ送信する。
【０２０７】
そして、ｅＮＢ１は、追加セル候補に関する情報、及び、追加セル候補の回線設定情報を、ＵＥへ送信する（ステップＳ９０４）。この回線設定情報の送信には、例えば、下り制御チャネル（PDCCH: Physical  Downlink  Control  CHannel）が用いられる。
【０２０８】
また、ｅＮＢ１は、第１のセルにおける通信を制御する（ステップＳ９０５）。この制御では、回線制御部２５２が、例えば、追加セル候補の無線回線を仮確立するために後に行われる、ランダムアクセス手順の間、第１のセルにおける、ＵＥとｅＮＢ１との間の通信を停止させてもよい。これにより、第１のセル及び追加セル候補の一方の送信タイミングと他方の受信タイミングとが重なることを回避できるので、ランダムアクセス手順を確実に実行することができる。又は、この制御では、ＴＤＤ方式の場合、第１のセル及び追加セル候補の一方の上り送信タイミングが他方の下り受信タイミングと原理的に重ならないサブフレームの内で、追加セル候補におけるランダムアクセス手順を実行させる期間を、ｅＮＢ１の回線制御部２５２が決定してもよい。これにより、第１のセル及び追加セル候補の一方の送信タイミングと他方の受信タイミングとが重ならない期間でランダムアクセス手順を実行できるので、ランダムアクセス手順を確実に実行することができる。この場合、ｅＮＢ１の回線制御部２５２は、追加セル候補におけるランダムアクセス手順を実行させる期間を示す情報をＵＥへ通知する。この通知される期間は、例えば、サブフレームを単位として通知されてもよいし、１０個のサブフレームを有するフレームを単位として通知されてもよい。又は、この期間は、少なくとも１つの基準となるサブフレームと、当該サブフレームを基準として連続するサブフレームの数とによって通知されてもよい。ここで、ＴＤＤ方式の場合、第１のセル及び追加セル候補の一方の上り送信タイミングが他方の下り受信タイミングと原理的に重ならないサブフレームとは、下りサブフレームと次のスペシャルサブフレームと次の上りサブフレームとを除く、サブフレームである。
【０２０９】
そして、ＵＥは、受け取った追加セル候補の回線設定情報を用いて、ｅＮＢ２のＣＣ３でランダムアクセス手順を実施する（ステップＳ９０６）。なお、ここでは、追加セル候補の送信タイミング情報を取得できればよいので、ランダムアクセス手順は、最後まで実行されなくてもよい。また、ｅＮＢ２は、ランダムアクセス手順においてＵＥから送信されたランダムアクセスプリアンブルの受信タイミングに基づいてＴＡを作成し、作成したＴＡをランダムアクセスレスポンスに含めてＵＥへ送信する。
【０２１０】
そして、ＵＥは、ランダムアクセスレスポンスに含まれる送信タイミング情報、つまりｅＮＢ３のＣＣ３（追加セル候補）で受信したＴＡを、第１のセルに対応するｅＮＢ１へ通知する（ステップＳ９０７）。
【０２１１】
そして、ｅＮＢ１は、回線制御部２５２において、追加セル候補を追加セルとするか否かを判定する（ステップＳ９０８）。この判定には、ＵＥと通信中の第１のセルにおけるＵＥについての第１の送信タイミング情報（ＴＡ）と、追加セル候補におけるＵＥについての第２の送信タイミング情報（ＴＡ）とが用いられる。ここでは、今回の追加セル候補を追加セルとしないと判定されたとする。
【０２１２】
ｅＮＢ１は、回線制御部２５２において、仮確立された追加セル候補の無線回線を切断する旨の通知を、ＵＥ及び追加セル候補に対応するｅＮＢ２へ送信する（ステップＳ９０９，Ｓ９１０）。なお、ステップＳ９０６での、追加セル候補におけるランダムアクセス手順が最後まで実行されていない場合には、この通知が送信されなくてもよい。
【０２１３】
ｅＮＢ１は、次の追加セル候補を選択する（ステップＳ９１１）。ここでは、追加セル候補として、ｅＮＢ３のＣＣ１が選択されたとする。
【０２１４】
ｅＮＢ１は、追加セル候補に対応するｅＮＢ３に対して、回線設定情報を要求するためのメッセージを送信する（ステップＳ９１２）。
【０２１５】
ｅＮＢ３は、ｅＮＢ３のＣＣ１の回線設定情報をｅＮＢ１へ送信する（ステップＳ９１３）。ここで、上述の通り、回線設定情報には、追加セル候補を仮確立するために必要な情報、例えば、帯域幅等のシステム情報、回線設定に関する制御情報、及びランダムアクセスに関する情報（例えば、個別ランダムアクセスプリアンブル（dedicated  random  access  preamble））等が含まれている。また、ｅＮＢ３は、複数のランダムアクセスプリアンブル候補の中から、追加セルに対応するランダムアクセスプリアンブルを選択し、選択したランダムアクセスプリアンブルを回線設定情報に含めて、ｅＮＢ１へ送信する。
【０２１６】
ｅＮＢ１は、追加セル候補に関する情報、及び、追加セル候補の回線設定情報を、ＵＥへ送信する（ステップＳ９１４）。この回線設定情報の送信には、例えば、下り制御チャネル（PDCCH: Physical  Downlink  Control  CHannel）が用いられる。
【０２１７】
また、ｅＮＢ１は、第１のセルにおける通信を制御する（ステップＳ９１５）。これはステップＳ８０５の処理と同等である。
【０２１８】
ＵＥは、受け取った追加セル候補の回線設定情報を用いて、ｅＮＢ３のＣＣ１でランダムアクセス手順を実施する（ステップＳ９１６）。なお、ここでは、追加セル候補の送信タイミング情報を取得できればよいので、ランダムアクセス手順は、最後まで実行されなくてもよい。
【０２１９】
ＵＥは、ランダムアクセスレスポンスに含まれる送信タイミング情報、つまりｅＮＢ３のＣＣ３（追加セル候補）で受信したＴＡを、第１のセルに対応するｅＮＢ１へ通知する（ステップＳ９１７）。
【０２２０】
ｅＮＢ１は、回線制御部２５２において、追加セル候補を追加セルとするか否かを判定する（ステップＳ９１８）。この判定には、ＵＥと通信中の第１のセルにおけるＵＥへの第１の送信タイミング情報（ＴＡ）と、追加セル候補におけるＵＥへの第２の送信タイミング情報（ＴＡ）とが用いられる。ここでは、今回の追加セル候補を追加セルとすると判定されたとする。
【０２２１】
ｅＮＢ１は、回線制御部２５２において、仮確立された追加セル候補の無線回線を維持する旨の通知を、ＵＥ及び追加セル候補に対応するｅＮＢ３へ送信する（ステップＳ９１９，Ｓ９２０）。なお、ステップＳ９１６での、追加セル候補におけるランダムアクセス手順が最後まで実行されていない場合には、再度、追加セルにおけるランダムアクセス手順を行うことを通知してもよい。
【０２２２】
そして、ＵＥは、ｅＮＢ１のＣＣ２と、ｅＮＢ３のＣＣ１とによって、データを送受信する（ステップＳ９２１，Ｓ９２２）。
【０２２３】
以上のように本実施例によれば、基地局２５０−１において、取得部２５１は、第１のセルにおける第１の送信タイミング情報と、基地局２５０−１又は基地局２５０−Ｘにそれぞれ対応する、複数の第２のセルの各々における第２の送信タイミング情報とを取得する。そして、回線制御部２５２は、複数の第２のセルに含まれ且つ第１のセルと共に使用される追加セルを端末２１０へ通知する制御信号を、第１の送信タイミング情報と第２の送信タイミング情報とに基づいて作成する。
【０２２４】
この基地局２５０−１の構成により、セル間で上り送信タイミングと下り受信タイミングとが重なるか否かまたは重なる場合に対して余裕があるか否かの判定指標となる、送信タイミング情報に基づいて制御信号を作成できる。これにより、送信波のスプリアスに起因する受信品質の劣化を防止することができる。
【０２２５】
例えば、回線制御部２５２は、第１の送信タイミングと第２の送信タイミングとの差に基づいて、複数の第２のセルの中から追加セルを選択するセル選択部２７１を含み、複数の第２のセルの中から、送信タイミング差が第１の閾値以下であるセルを、追加セルとして選択する。そして、第３の閾値は、下りサブフレームと上りサブフレームとに挟まれるサブフレームに規定される無伝送区間（つまり、ギャップ区間）の長さに応じた値とされる。
【０２２６】
ここで、以上で説明した通信システムには、以下の変更を行うことができる。
【０２２７】
［１］図３３のシーケンスでは、追加セル候補の送信タイミング情報がＵＥを介してｅＮＢ１へ送信されたが、これに限定されない。例えば、図３４に示すように、追加セル候補に対応する基地局ｅＮＢ２，３が、追加セル候補の送信タイミング情報を、有線を介して第１のセルに対応するｅＮＢ１へ送信してもよい。
【０２２８】
図３４は、端末及び基地局の処理動作の他の一例を示すシーケンス図である。
【０２２９】
ｅＮＢ２は、ｅＮＢ２のＣＣ３における送信タイミング情報、つまりＴＡを、回線設定情報に含めて、第１のセルに対応するｅＮＢ１へ送信する（ステップＳ１００１）。
【０２３０】
また、ｅＮＢ３は、ｅＮＢ３のＣＣ１における送信タイミング情報、つまりＴＡを、回線設定情報に含めて、第１のセルに対応するｅＮＢ１へ送信する（ステップＳ１００２）。
【０２３１】
［２］以上の説明では、基地局２５０−１が、追加セル候補を追加セルとするか否かについて判定するものとして説明を行ったが、これに限定されない。すなわち、端末２１０において無線回線制御部２１２が、接続中の第１のセルにおける送信タイミング情報と、追加セル候補における送信タイミング情報とに基づいて、追加セル候補を追加セルとするか否かについて判定してもよい。この場合、無線回線制御部２１２は、追加セル候補を追加セルとする旨の通知を基地局２５０−１に対して行う。
【０２３２】
［３］以上の説明では、基地局２５０−１が、接続中の第１のセルにおける送信タイミング情報と、追加セル候補における送信タイミング情報とに基づいて、追加セル候補を追加セルとするか否かについて判定するものとして説明を行ったが、これに限定されない。例えば、基地局２５０−１は、端末２１０から送信された既知信号（例えばパイロット）についての、基地局２５０−１の第１のセルにおける受信タイミングと、追加セル候補に対応する基地局２５０−Ｘにおける受信タイミングとに基づいて、追加セル候補を追加セルとするか否かについて判定してもよい。すなわち、基地局２５０−１は、上り回線で送信された既知信号（例えばパイロット）の受信タイミングに基づいて、追加セル候補を追加セルとするか否かについて判定してもよい。この場合には、追加セル候補に対応する基地局２５０−Ｘにおける受信タイミングに関する情報は、上記と同様に、端末２１０を介してか又は有線を介して、第１のセルに対応する基地局２５０−１へ伝送される。
【０２３３】
［実施例４］
実施例４では、通信システムのすべてのセルに対して、共通のＴＤＤフレームパターンを適用する。ここでは、図１を用いて説明する。
【０２３４】
実施例４の通信システム１は、複数の基地局５０と、複数の端末１０とを有する。複数の端末１０には、複数のセルを用いて通信する端末１０が含まれていることがある。各基地局５０は、自装置が収容する端末１０と少なくとも１つのセルを用いて通信を行う。更に、各基地局５０の全てのセルに対して、ある一つのＴＤＤフレームパターンを適用する。
【０２３５】
ここで、ＴＤＤの場合、第１のセル及び第２のセルに対して異なるＴＤＤフレームパターンが適用される場合、下りサブフレーム、スペシャルサブフレーム及び上りサブフレームの３つ連続するサブフレーム以外のサブフレームでも、上記の受信品質の低下が起こりうる。この問題は、１つの端末１０が通信に用いる、第１のセルの第１のＣＣと第２のセルの第２のＣＣとが隣接する場合に、特に顕著となる。従って、対応するＣＣが隣接する第１のセル及び第２のセルに対しては、共通のＴＤＤフレームパターンが適用されることが好ましい。さらに、他の端末１０に着目すれば、セルの他の組合せにおいても、共通のＴＤＤフレームパターンが適用されることが好ましい。さらに、複数のセルを纏めたグループに対して共通のＴＤＤフレームパターンを適用しても、グループを跨いだセルの組合せを用いて端末１０が通信する可能性もある。結果として、通信システム１における複数の基地局５０に対応する全セルに設定されるＴＤＤフレームパターンが共通していることが好ましい。
【０２３６】
例えば、通信システム１の全体に適用されるＴＤＤフレームパターンを、基地局５０のすべてがそれぞれ記憶しておく。そして、各基地局５０は、収容している端末１０に対して、ＴＤＤフレームパターンを通知する。この通知には、例えばＬＴＥシステムの場合、ＳＩＢ（System  Information  Block）及びＭＩＢ（Master  Information  Block）等のシステム情報が用いられてもよい。また、この通知は、周期的に報知(Broadcast)されてもよい。このシステム情報を受け取った端末１０は、通知されたＴＤＤフレームパターンに従って、通信を行う。
【０２３７】
なお、実施例４の態様は、実施例１から実施例３のいずれに対しても適用可能である。
【０２３８】
［他の実施例］
［１］実施例１から実施例４では、伝搬遅延差が閾値以下であることを条件として、追加セルを選択している。しかしながら、これに限定されるものではなく、この条件を第１の条件として、伝搬遅延の和が閾値以下であることを第２の条件としてもよい。すなわち、当該第１の条件及び当該第２の条件の両方が満たされることを条件として、追加セルが選択されてもよい。伝搬遅延差に対応する閾値と、伝搬遅延和に対応する閾値とは、同じでもよいし、異なっていてもよい。
【０２３９】
［２］実施例１から実施例４では、主にＴＤＤが適用されることを前提として説明を行ったが、これに限定されない。例えば、実施例１から４で説明した技術は、ＦＤＤにも適用可能である。
【０２４０】
［３］実施例１から実施例４の端末及び基地局は、次のようなハードウェア構成により実現することができる。
【０２４１】
図３５は、端末のハードウェア構成例を示す図である。図３５において端末３００は、ＬＳＩ（Large  Scale  Integrated  circuit）３０１，３０２と、プロセッサ３０３と、メモリ３０４，３０５と、ＬＣＤ（Liquid  Crystal  Display）等の表示部３０６と、マイク３０７と、拡声器３０８とを有する。プロセッサ３０３は、ＬＳＩ３０１，３０２と、メモリ３０５と、表示部３０６と、マイク３０７と、拡声器３０８とバスを介して接続されている。また、ＬＳＩ３０１，３０２は、メモリ３０４とそれぞれ接続されている。
【０２４２】
ＬＳＩ３０１は、端末３００における受信に関わる処理を行う。すなわち、ＬＳＩ３０１は、受信無線処理及びベースバンド受信処理等を行う。一方、ＬＳＩ３０２は、端末３００における送信に関わる処理を行う。すなわち、ＬＳＩ３０２は、ベースバンド送信処理及び送信無線処理等を行う。また、プロセッサ３０３の一例としては、ＣＰＵ（Central  Processing  Unit）、ＤＳＰ（Digital  Signal  Processor）、ＦＰＧＡ（Field  Programmable  Gate  Array）等が挙げられる。また、メモリ３０４，３０５の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。なお、図３５では、ＬＳＩ３０１，３０２でベースバンド処理を実行する構成例を示しているが、当該ベースバンド処理をプロセッサ３０３で実行する構成としても良い。または、端末が複数個のプロセッサを備えても良い。たとえば、端末は、ユーザインタフェースに関する処理など主に応用層の処理を実行するアプリケーションＣＰＵと、実施例１から実施例４に例示した各種処理機能など主に無線制御に関する処理を実行する無線処理ＣＰＵ（ベースバンドＣＰＵとも呼ばれる）とを有する構成とすることができる。
【０２４３】
そして、実施例１から実施例４の端末で行われる各種処理機能は、不揮発性記憶媒体などの各種メモリに格納されたプログラムを端末が備えるプロセッサで実行することによって実現してもよい。すなわち、受信部（つまり、受信処理部１２、既知信号抽出部１３、無線回線品質測定算出部１４、受信タイミング測定部１５、タイミング差算出部１６、回線設定抽出部１９、及びタイミング情報抽出部２１１等）によって実行される各処理に対応するプログラムがメモリ３０４に記録され、各プログラムがＬＳＩ３０１で実行されてもよい。また、制御部（つまり、無線回線制御部２０，１１１，２１２等）によって実行される各処理に対応するプログラムがメモリ３０５に記録され、各プログラムがプロセッサ３０３で実行されてもよい。また、送信部（つまり、無線回線品質情報作成部１７、タイミング差情報作成部１８、回線設定信号作成部２１、送信処理部２２、及び回線制御情報作成部１１２，２１３等）によって実行される各処理に対応するプログラムがメモリ３０４に記録され、各プログラムがＬＳＩ３０２で実行されてもよい。なお、上記の受信部及び送信部によって実行される各処理に対応するプログラムは、プロセッサ３０３で実行されてもよいし、プロセッサ３０３以外のプロセッサ（例えば、上記のベースバンドＣＰＵ）で実行されてもよい。
【０２４４】
図３６は、基地局のハードウェア構成を示す図である。図３６において基地局４００は、ＬＳＩ４０１，４０２と、プロセッサ４０３と、メモリ４０４，４０５と、Ｉ／Ｆ（Ｉｎｔｅｒ／Ｆａｃｅ）４０６とを有する。プロセッサ４０３は、ＬＳＩ４０１，４０２、メモリ４０５、及びＩ／Ｆ４０６とバスを介して接続されている。また、ＬＳＩ４０１，４０２は、メモリ４０４とそれぞれ接続されている。
【０２４５】
ＬＳＩ４０１は、基地局４００における受信に関わる処理を行う。すなわち、ＬＳＩ４０１は、受信無線処理及び受信ベースバンド処理等を行う。一方、ＬＳＩ４０２は、基地局４００における送信に関わる処理を行う。すなわち、ＬＳＩ４０２は、ベースバンド送信処理及び送信無線処理等を行う。また、プロセッサ４０３の一例としては、ＣＰＵ、ＤＳＰ、ＦＰＧＡ等が挙げられる。また、メモリ４０４，４０５の一例としては、ＳＤＲＡＭ等のＲＡＭ、ＲＯＭ、フラッシュメモリ等が挙げられる。
【０２４６】
そして、実施例１から実施例４の基地局で行われる各種処理機能は、不揮発性記憶媒体などの各種メモリに格納されたプログラムを基地局が備えるプロセッサで実行することによって実現してもよい。すなわち、受信部（つまり、受信処理部５２、取得部５３，１５１，２５１、及び受信タイミング測定部５４等）によって実行される各処理に対応するプログラムがメモリ４０４に記録され、各プログラムがＬＳＩ４０１で実行されてもよい。また、制御部（つまり、回線制御部５５，１５２，２５２等）によって実行される各処理に対応するプログラムがメモリ４０５に記録され、各プログラムがプロセッサ４０３で実行されてもよい。また、送信部（つまり、送信処理部５６、既知信号作成部５８、及び回線制御信号作成部５９等）によって実行される各処理に対応するプログラムがメモリ４０４に記録され、各プログラムがＬＳＩ４０２で実行されてもよい。
【０２４７】
また、ここでは、基地局が一体の装置であるものとして説明したが、これに限定されない。例えば、基地局は、無線装置と制御装置という２つの別体の装置によって構成されてもよい。この場合、例えば、ＬＳＩ４０１，４０２とメモリ４０４とは無線装置に配設され、プロセッサ４０３と、メモリ４０５と、Ｉ／Ｆ４０６とは制御装置に配設される。
【符号の説明】
【０２４８】
１  通信システム
１０，１１０，２１０  端末
１１，５１  受信無線部
１２，５２  受信処理部
１３  既知信号抽出部
１４  無線回線品質測定算出部
１５  受信タイミング測定部
１６  タイミング差算出部
１７  無線回線品質情報作成部
１８  タイミング差情報作成部
１９  回線設定抽出部
２０，１１１，２１２  無線回線制御部
２１  回線設定信号作成部
２２，５６  送信処理部
２３，５７  送信無線部
５０，１５０，２５０  基地局
５３，１５１，２５１  取得部
５４  受信タイミング測定部
５５，１５２，２５２  回線制御部
５８  既知信号作成部
５９  回線制御信号作成部
６１  品質情報抽出部
６２  回線設定抽出部
６３  タイミング差情報抽出部
７１  設定制御部
７２  ＴＡ設定部
７３  ランダムアクセス制御部
７４  プリアンブル記憶部
７５，１７１，２７１  セル選択部
１１２，２１３  回線制御情報作成部
１６１，２６１  回線制御情報抽出部
２１１  タイミング情報抽出部
【図１】
2014155740.tif 000003
【図２】
2014155740.tif 000004
【図３】
2014155740.tif 000005
【図４】
2014155740.tif 000006
【図５】
2014155740.tif 000007
【図６】
2014155740.tif 000008
【図７】
2014155740.tif 000009
【図８】
2014155740.tif 000010
【図９】
2014155740.tif 000011
【図１０】
2014155740.tif 000012
【図１１】
2014155740.tif 000013
【図１２】
2014155740.tif 000014
【図１３】
2014155740.tif 000015
【図１４】
2014155740.tif 000016
【図１５】
2014155740.tif 000017
【図１６】
2014155740.tif 000018
【図１７】
2014155740.tif 000019
【図１８】
2014155740.tif 000020
【図１９】
2014155740.tif 000021
【図２０】
2014155740.tif 000022
【図２１】
2014155740.tif 000023
【図２２】
2014155740.tif 000024
【図２３】
2014155740.tif 000025
【図２４】
2014155740.tif 000026
【図２５】
2014155740.tif 000027
【図２６】
2014155740.tif 000028
【図２７】
2014155740.tif 000029
【図２８】
2014155740.tif 000030
【図２９】
2014155740.tif 000031
【図３０】
2014155740.tif 000032
【図３１】
2014155740.tif 000033
【図３２】
2014155740.tif 000034
【図３３】
2014155740.tif 000035
【図３４】
2014155740.tif 000036
【図３５】
2014155740.tif 000037
【図３６】
2014155740.tif 000038
【手続補正書】
【提出日】平成27年9月28日(2015.9.28)
【手続補正１】
【補正対象書類名】明細書
【補正対象項目名】０００４
【補正方法】変更
【補正の内容】
【０００４】
【非特許文献１】3GPP  TS36.211V10.5.0  “Physical  channel  and  modulation  (Release  10)”
【非特許文献２】3GPP  TS36.213V10.6.0  “Physical  layer  procedures  (Release  10)”
【非特許文献３】3GPP  TS36.214V10.1.0  “Physical  layer  Measurements  (Release  10)”
【非特許文献４】3GPP  TS36.321V10.5.0  “Medium  Access  Control(MAC)  (Release  10)”
【非特許文献５】3GPP  TS36.331V10.6.0  “Radio  Resource  Control  (RRC)  (Release  10)”
【非特許文献６】3GPP  TS36.300V10.8.0  “Overall  description;  Stage  2  (Release  10)”
【手続補正２】
【補正対象書類名】明細書
【補正対象項目名】００４３
【補正方法】変更
【補正の内容】
【００４３】
ここで、ＣＡに用いられる各セルに対して同じＴＤＤフレームパターンが適用されれば、セル間で上り回線期間と下り回線期間とが重なることがないようにも思われる。しかしながら、端末１０と基地局５０との間の伝搬遅延がセル間で異なる場合には、一方のセルの下り受信タイミングが他方のセルの上り送信タイミングと重なってしまう可能性がある。これにより、送信波のスプリアス成分に起因して受信品質が低下してしまう可能性がある。言い換えれば、送信波のスプリアス成分が受信波に対して干渉となり、ＳＩＲが劣化し、受信品質が低下する可能性がある。
【手続補正３】
【補正対象書類名】明細書
【補正対象項目名】００４４
【補正方法】変更
【補正の内容】
【００４４】
図１０，１１は、２つのセル間で下り受信タイミングと上り送信タイミングとが重なる状況の説明に供する図である。図１０，１１では、２つのセルに対応する一方の基地局５０−１はｅＮＢ１と表され、他方の基地局５０−ＸはｅＮＢ２と表されている。また、端末１０は、ＵＥ１と表されている。なお、ｅＮＢは、evolutional  Node  Bであり、基地局を意味するものである。また、ＵＥは、User  Equipmentであり、端末を意味するものである。また、図１０に記載されているＰＤＣＣＨは、基地局５０から端末１０へ制御情報を通知するために用いられる物理下り制御チャネル（Physical  Downlink  Control  Channel）である。また、ＰＤＳＣＨは、基地局５０から端末１０へデータを送信するために用いられる物理下り共有チャネル（Physical  Downlink  Shared  CHannel）である。また、ＰＵＣＣＨは、端末１０から基地局５０へ制御情報を通知するために用いられる物理上り制御チャネル（Physical  Uplink  Control  Channel）である。また、ＰＵＳＣＨは、端末１０から基地局５０へデータを送信するために用いられる物理上り共有チャネル（Physical  Uplink  Shared  CHannel）である。
【手続補正４】
【補正対象書類名】明細書
【補正対象項目名】００４６
【補正方法】変更
【補正の内容】
【００４６】
従って、図１１に示すように、ＵＥ１の下り受信期間は、ｅＮＢ１の下り送信期間よりもτ１だけ遅れる。また、ｅＮＢ１の上り受信期間内にＵＥ１から送信された信号を到達させるために、ＵＥ１の上り送信期間は、ｅＮＢ１の上り受信期間よりもτ１だけ早める。同様に、ｅＮＢ２の上り受信期間内にＵＥ１から送信された信号を到達させるために、ＵＥ１の上り送信期間は、ｅＮＢ２の上り受信期間よりもτ２だけ早める。すなわち、ｅＮＢ１は、ＴＡコマンドによって、ＵＥ１に対して、τ１に対応する上り送信タイミングの制御を行う。一方、ｅＮＢ２は、ＴＡコマンドによって、ＵＥ１に対して、τ２に対応する上り送信タイミングの制御を行う。ここで、ｅＮＢ１とｅＮＢ２とが一定レベル以上の精度で同期していると仮定すると、τ１とτ２との差の長さ、及び、スペシャルサブフレームに含まれるギャップ区間の長さに依っては、図１１に示すように、ＵＥ１がｅＮＢ１から送信された信号を受信する下り受信期間と、ＵＥ１がｅＮＢ２へ信号を送信する上り送信期間とが重なってしまう可能性がある。換言すれば、一方のセルの下り受信タイミングが他方のセルの下り送信タイミングと重なってしまう可能性がある。
【手続補正５】
【補正対象書類名】明細書
【補正対象項目名】００５５
【補正方法】変更
【補正の内容】
【００５５】
取得部５３は、受信処理部５２から出力された受信データから、無線回線品質（channel  quality）情報、回線設定（channel  setup）情報、及びタイミング差情報をそれぞれ抽出する。取得部５３は、抽出した無線回線品質情報、回線設定情報、及びタイミング差情報を、回線制御部５５へ出力する。なお、無線回線品質とは、既知信号（例えば、パイロットや参照信号（ＲＳ：Reference  Signal））の受信品質であり、例えば、ＳＩＲ（Signal  to  Interference  Ration）、ＳＮＲ（Signal  to  Noise  Ratio）、受信電力(又は受信電界強度)、既知信号受信電力（例えば：パイロット受信電力(PSRP: Pilot  Signal  Received  Power)、参照信号受信電力(RSRP: Reference  Signal  Received  Power)）、既知信号受信品質(例えば、パイロット信号受信品質(PSRQ: Pilot  Signal  Received  Quality)、参照信号受信品質(RSRQ：Reference  Signal  Received  Quality))等の何れかである。また、ＳＩＲを基に算出した無線回線品質指標(CQI: Channel  Quality  Indicator)等であってもよい。また、回線設定情報とは、回線設定に必要となる制御情報であり、例えば使用する周波数の帯域幅、セルＩＤなどの無線回線に関する制御情報や、ランダムアクセスなどの回線接続に関する制御情報などで構成されるものである。また、タイミング差情報は、広い意味で、受信時間に関する情報に相当する。なお、既知信号とは送信装置と受信装置とにおいて予め決め、他の信号と識別可能な信号である。特に受信装置において、受信すべき信号として認識できることから、実際に受信した信号と比較することにより、干渉信号を識別することも可能となる。
【手続補正６】
【補正対象書類名】明細書
【補正対象項目名】００７８
【補正方法】変更
【補正の内容】
【００７８】
無線回線品質測定算出部１４は、既知信号抽出部１３から受け取る既知信号（例えばパイロット）に基づいて、無線回線品質を算出する。この無線回線品質の算出は、通信中の第１のセルと、第１のセルに対応する周波数（つまりＣＣ）と異なる測定対象周波数、つまり第２のセルのそれぞれについて行われる。無線回線品質測定算出部１４は、算出した無線回線品質を、無線回線品質情報作成部１７へ出力する。なお、無線回線品質としては、ＳＩＲ、ＳＮＲ、受信電力(又は受信電界強度)、既知信号受信電力（例えば：パイロット受信電力(PSRP: Pilot  Signal  Received  Power)、既知信号受信品質(例えば、パイロット信号受信品質(PSRQ: Pilot  Signal  Received  Quality)、及び、無線回線品質指標等のいずれかを用いることができる。
【国際調査報告】
2014155740.tif 000039
2014155740.tif 000040